(57)【特許請求の範囲】
【請求項１】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取る読取手段と、
暗証照合により装置側の複数段階の第２の制限レベルを設定する設定手段と、
上記読取手段により読取られた第１の制限レベルと上記設定手段により設定されている第２の制限レベルとを比較することにより、データの再生が禁止されているか否かを判定する判定手段と、
この判定手段により、データの再生の禁止が判定された場合に、上記読取手段により読取られたデータの再生を禁止する禁止手段と、
上記判定手段により、データの再生の禁止が判定されていない場合に、上記読取手段により読取られたデータを再生出力に変換する変換手段と、
を具備したことを特徴とする再生装置。
【請求項２】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取り、
この読取られた第１の制限レベルとあらかじめ暗証照合により装置側に設定されている複数段階の第２の制限レベルとを比較することにより、データの再生が禁止されているか否かを判定し、
この判定により、データの再生の禁止が判定された場合に、上記読取られたデータの再生を禁止し、
上記判定により、データの再生の禁止が判定されていない場合に、上記読取られたデータを再生出力に変換する、
ことを特徴とする再生方法。
【請求項３】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取る読取手段と、
暗証照合により装置側の複数段階の第２の制限レベルを設定する設定手段と、
上記読取手段により読取られた第１の制限レベルと上記設定手段により設定されている第２の制限レベルとを比較することにより、データの再生が禁止されているか否かを判定する判定手段と、
この判定手段により、データの再生の禁止が判定された場合に、上記読取手段により読取られたデータの再生を禁止する禁止手段と、
上記判定手段により、データの再生の禁止が判定されていない場合に、上記読取手段により読取られたデータを再生出力に変換する変換手段と、
上記暗証照合により上記設定手段により設定されている第２の制限レベルを変更する変更手段と、
を具備したことを特徴とする再生装置。
【請求項４】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取り、
この読取られた第１の制限レベルと暗証照合により装置側に設定される複数段階の第２の制限レベルとを比較することにより、データの再生が禁止されているか否かを判定し、
この判定により、データの再生の禁止が判定された場合に、上記読取られたデータの再生を禁止し、
上記判定により、データの再生の禁止が判定されていない場合に、上記読取られたデータを再生出力に変換し、
上記暗証照合により上記設定されている第２の制限レベルを変更する、
ことを特徴とする再生方法。
【請求項５】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取る読取手段と、
暗証照合により装置側の複数段階の第２の制限レベルを設定する設定手段と、
上記読取手段により読取られた第１の制限レベルと上記設定手段により設定されている第２の制限レベルとを比較することにより、データの再生が禁止されているか否かを判定する判定手段と、
この判定手段により、データの再生の禁止が判定された場合に、上記読取手段により読取られたデータの再生を禁止する禁止手段と、
上記判定手段により、データの再生の禁止が判定されていない場合に、上記読取手段により読取られたデータを再生出力に変換する変換手段と、
上記暗証とは異なる特定番号の入力により上記設定手段により設定されている第２の制限レベルを変更する変更手段と、
を具備したことを特徴とする再生装置。
【請求項６】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取り、
この読取られた第１の制限レベルと暗証照合により装置側に設定される複数段階の第２の制限レベルとを比較することにより、データの再生が禁止されているか否かを判定し、
この判定により、データの再生の禁止が判定された場合に、上記読取られたデータの再生を禁止し、
上記判定により、データの再生の禁止が判定されていない場合に、上記読取られたデータを再生出力に変換し、
上記暗証とは異なる特定番号の入力により上記設定されている第２の制限レベルを変更する、
ことを特徴とする再生方法。
【請求項７】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取る読取手段と、
暗証を設定する第１の設定手段と、
この第１の設定手段による暗証を設定した際に、装置側の複数段階の第２の制限レベルを設定する第２の設定手段と、
上記読取手段により読取られた第１の制限レベルと上記第２の設定手段により設定されている第２の制限レベルとを比較することにより、データの再生が禁止されているか否かを判定する第１の判定手段と、
この第１の判定手段により、データの再生の禁止が判定された場合に、上記読取手段により読取られたデータの再生を禁止する禁止手段と、
上記第１の判定手段により、データの再生の禁止が判定されていない場合に、上記読取手段により読取られたデータを再生出力に変換する変換手段と、
暗証を入力する入力手段と、
この入力手段により入力された暗証と上記第１の設定手段により設定されている暗証とが一致するか否かを判定する第２の判定手段と、
この第２の判定手段により暗証の一致が判定された際に、上記第２の設定手段により設定されている第２の制限レベルを変更する変更手段と、
を具備したことを特徴とする再生装置。
【請求項８】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取り、
暗証を設定した際に、装置側の複数段階の第２の制限レベルを設定し、
上記読取られた第１の制限レベルと上記設定されている第２の制限レベルとを比較することにより、データの再生が禁止されているか否かを判定し、
この判定により、データの再生の禁止が判定された場合に、上記読取られたデータの再生を禁止し、
上記判定により、データの再生の禁止が判定されていない場合に、上記読取られたデータを再生出力に変換し、
入力された暗証と上記設定されている暗証とが一致するか否かを判定し、
この判定により暗証の一致が判定された際に、上記設定されている第２の制限レベルを変更する、
ことを特徴とする再生方法。
【請求項９】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取る読取手段と、
暗証を設定する第１の設定手段と、
この第１の設定手段による暗証を設定した際に、装置側の複数段階の第２の制限レベルを設定する第２の設定手段と、
上記読取手段により読取られた第１の制限レベルと上記第２の設定手段により設定されている第２の制限レベルとを比較することにより、データの再生が禁止されているか否かを判定する第１の判定手段と、
この第１の判定手段により、データの再生の禁止が判定された場合に、上記読取手段により読取られたデータの再生を禁止する禁止手段と、
上記第１の判定手段により、データの再生の禁止が判定されていない場合に、上記読取手段により読取られたデータを再生出力に変換する変換手段と、
暗証を入力する入力手段と、
この入力手段により入力された暗証と上記第１の設定手段により設定されている暗証とが一致するか否かを判定する第２の判定手段と、
この第２の判定手段により暗証の一致が判定された際に、上記第２の設定手段により設定されている第２の制限レベルを変更する第１の変更手段と、
上記暗証とは異なる特定番号の入力により上記第２の設定手段により設定されている第２の制限レベルを変更する第２の変更手段と、
を具備したことを特徴とする再生装置。
【請求項１０】
一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、
上記記録媒体のデータ領域のデータと上記管理領域の第１の制限レベルとを読取り、
暗証を設定した際に、装置側の複数段階の第２の制限レベルを設定し、
上記読取られた第１の制限レベルと上記設定されている第２の制限レベルとを比較することにより、データの再生が禁止されているか否かを判定し、
この判定により、データの再生の禁止が判定された場合に、上記読取られたデータの再生を禁止し、
上記判定により、データの再生の禁止が判定されていない場合に、上記読取られたデータを再生出力に変換し、
入力された暗証と上記設定されている暗証とが一致するか否かを判定し、
この判定により暗証の一致が判定された際に、上記設定されている第２の制限レベルを変更し、
上記暗証とは異なる特定番号の入力により上記設定されている第２の制限レベルを変更する、
ことを特徴とする再生方法。
【発明の詳細な説明】
【０００１】
【産業上の利用分野】
この発明は、圧縮された動画データや音声データ等の目的や種類の違うデータを記録する光ディスク等の記録媒体からデータを再生する再生装置とその再生方法に関する。
【０００２】
【従来の技術】
近年、映像や音声等のデータをデジタルで記録した光ディスクを再生する動画対応光ディスク再生装置が開発されており、今後、映画やカラオケをはじめとする多種多様な再生用ソフトが提供されるようなことが予想される。しかしこれら多数のソフトの中には国、宗教、年齢によって視聴を制限されているものがある。例えばアメリカでは、映画によって、誰でも視聴できる映画つまり子供（Ｇ）が視聴できる映画、親同伴に限り未成年者（ＰＧ）が視聴できる映画、親同伴に限り１３才以上の未成年者（ＰＧ１３）が視聴できる映画、成人（Ｒ）が視聴できる映画、特定の人（ＵＮＬＩＭＩＴＥＤ）だけが視聴できる映画等の５段階に分かれている。このように、ソフトの内容により視聴できる対象者が制限され、あるいは映像により部分的に視聴できる対象者が制限されることをパレンタルと呼んでいるが、従来、パレンタルであることを判断し、視聴の制限を行うのはソフトを所持する視聴者側だけに依存していたため、確実に視聴制限を行うことは不可能であった。
【０００３】
そこで、光ディスクに記録されているデータを再生する際に、そのデータに付与されているパレンタル制御のレベルと、再生側で設定される制限レベルにより再生を制限させることができるものが要望されている。
【０００４】
【発明が解決しようとする課題】
上記したように、記録媒体に記録されているデータを再生する際に、そのデータに付与されているパレンタル制御のレベルと、再生側で設定される制限レベルにより再生を制限させることができるものが要望されているもので、記録媒体に記録されているデータを再生する際に、そのデータに付与されているパレンタル制御のレベルと、再生側で設定される制限レベルにより再生を制限させることができ、しかもその制限レベルを暗証照合により変更できる再生装置とその再生方法を提供することを目的とする。
【０００５】
【課題を解決するための手段】
この発明の再生装置は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取る読取手段、暗証照合により装置側の複数段階の第２の制限レベルを設定する設定手段、上記読取手段により読取られた第１の制限レベルと上記設定手段により設定されている第２の制限レベルとを比較することにより、データの再生が禁止されているか否かを判定する判定手段、この判定手段により、データの再生の禁止が判定された場合に、上記読取手段により読取られたデータの再生を禁止する禁止手段、および上記判定手段により、データの再生の禁止が判定されていない場合に、上記読取手段により読取られたデータを再生出力に変換する変換手段から構成される。
【０００６】
この発明の再生方法は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、上記記録媒体のデータ領域のデータと上記管理領域の第１の制限レベルとを読取り、この読取られた第１の制限レベルとあらかじめ暗証照合により装置側に設定されている複数段階の第２の制限レベルとを比較することにより、データの再生が禁止されているか否かを判定し、この判定により、データの再生の禁止が判定された場合に、上記読取られたデータの再生を禁止し、上記判定により、データの再生の禁止が判定されていない場合に、上記読取られたデータを再生出力に変換するものである。
【０００７】
この発明の再生装置は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取る読取手段、暗証照合により装置側の複数段階の第２の制限レベルを設定する設定手段、上記読取手段により読取られた第１の制限レベルと上記設定手段により設定されている第２の制限レベルとを比較することにより、データの再生が禁止されているか否かを判定する判定手段、この判定手段により、データの再生の禁止が判定された場合に、上記読取手段により読取られたデータの再生を禁止する禁止手段、上記判定手段により、データの再生の禁止が判定されていない場合に、上記読取手段により読取られたデータを再生出力に変換する変換手段、および上記暗証照合により上記設定手段により設定されている第２の制限レベルを変更する変更手段から構成される。
【０００８】
この発明の再生方法は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、上記記録媒体のデータ領域のデータと上記管理領域の第１の制限レベルとを読取り、この読取られた第１の制限レベルと暗証照合により装置側に設定される複数段階の第２の制限レベルとを比較することにより、データの再生が禁止されているか否かを判定し、この判定により、データの再生の禁止が判定された場合に、上記読取られたデータの再生を禁止し、上記判定により、データの再生の禁止が判定されていない場合に、上記読取られたデータを再生出力に変換し、上記暗証照合により上記設定されている第２の制限レベルを変更するものである。
【０００９】
この発明の再生装置は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取る読取手段、暗証照合により装置側の複数段階の第２の制限レベルを設定する設定手段、上記読取手段により読取られた第１の制限レベルと上記設定手段により設定されている第２の制限レベルとを比較することにより、データの再生が禁止されているか否かを判定する判定手段、この判定手段により、データの再生の禁止が判定された場合に、上記読取手段により読取られたデータの再生を禁止する禁止手段、上記判定手段により、データの再生の禁止が判定されていない場合に、上記読取手段により読取られたデータを再生出力に変換する変換手段、および上記暗証とは異なる特定番号の入力により上記設定手段により設定されている第２の制限レベルを変更する変更手段から構成される。
【００１０】
この発明の再生方法は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、上記記録媒体のデータ領域のデータと上記管理領域の第１の制限レベルとを読取り、この読取られた第１の制限レベルと暗証照合により装置側に設定される複数段階の第２の制限レベルとを比較することにより、データの再生が禁止されているか否かを判定し、この判定により、データの再生の禁止が判定された場合に、上記読取られたデータの再生を禁止し、上記判定により、データの再生の禁止が判定されていない場合に、上記読取られたデータを再生出力に変換し、上記暗証とは異なる特定番号の入力により上記設定されている第２の制限レベルを変更するものである。
【００１１】
この発明の再生装置は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取る読取手段、暗証を設定する第１の設定手段、この第１の設定手段による暗証を設定した際に、装置側の複数段階の第２の制限レベルを設定する第２の設定手段、上記読取手段により読取られた第１の制限レベルと上記第２の設定手段により設定されている第２の制限レベルとを比較することにより、データの再生が禁止されているか否かを判定する第１の判定手段、この第１の判定手段により、データの再生の禁止が判定された場合に、上記読取手段により読取られたデータの再生を禁止する禁止手段、上記第１の判定手段により、データの再生の禁止が判定されていない場合に、上記読取手段により読取られたデータを再生出力に変換する変換手段、暗証を入力する入力手段、この入力手段により入力された暗証と上記第１の設定手段により設定されている暗証とが一致するか否かを判定する第２の判定手段、およびこの第２の判定手段により暗証の一致が判定された際に、上記第２の設定手段により設定されている第２の制限レベルを変更する変更手段から構成される。
【００１２】
この発明の再生方法は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、上記記録媒体のデータ領域のデータと上記管理領域の第１の制限レベルとを読取り、暗証を設定した際に、装置側の複数段階の第２の制限レベルを設定し、上記読取られた第１の制限レベルと上記設定されている第２の制限レベルとを比較することにより、データの再生が禁止されているか否かを判定し、この判定により、データの再生の禁止が判定された場合に、上記読取られたデータの再生を禁止し、上記判定により、データの再生の禁止が判定されていない場合に、上記読取られたデータを再生出力に変換し、入力された暗証と上記設定されている暗証とが一致するか否かを判定し、この判定により暗証の一致が判定された際に、上記設定されている第２の制限レベルを変更するものである。
【００１３】
この発明の再生装置は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取る読取手段、暗証を設定する第１の設定手段、この第１の設定手段による暗証を設定した際に、装置側の複数段階の第２の制限レベルを設定する第２の設定手段、上記読取手段により読取られた第１の制限レベルと上記第２の設定手段により設定されている第２の制限レベルとを比較することにより、データの再生が禁止されているか否かを判定する第１の判定手段、この第１の判定手段により、データの再生の禁止が判定された場合に、上記読取手段により読取られたデータの再生を禁止する禁止手段、上記第１の判定手段により、データの再生の禁止が判定されていない場合に、上記読取手段により読取られたデータを再生出力に変換する変換手段、暗証を入力する入力手段、この入力手段により入力された暗証と上記第１の設定手段により設定されている暗証とが一致するか否かを判定する第２の判定手段、この第２の判定手段により暗証の一致が判定された際に、上記第２の設定手段により設定されている第２の制限レベルを変更する第１の変更手段、および上記暗証とは異なる特定番号の入力により上記第２の設定手段により設定されている第２の制限レベルを変更する第２の変更手段から構成される。
【００１４】
この発明の再生方法は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生する再生装置において、上記記録媒体のデータ領域のデータと上記管理領域の第１の制限レベルとを読取り、暗証を設定した際に、装置側の複数段階の第２の制限レベルを設定し、上記読取られた第１の制限レベルと上記設定されている第２の制限レベルとを比較することにより、データの再生が禁止されているか否かを判定し、この判定により、データの再生の禁止が判定された場合に、上記読取られたデータの再生を禁止し、上記判定により、データの再生の禁止が判定されていない場合に、上記読取られたデータを再生出力に変換し、入力された暗証と上記設定されている暗証とが一致するか否かを判定し、この判定により暗証の一致が判定された際に、上記設定されている第２の制限レベルを変更し、上記暗証とは異なる特定番号の入力により上記設定されている第２の制限レベルを変更するものである。
【００１５】
【作用】
この発明は、一部の領域に管理領域と、他の領域にデータ領域が形成され、上記データ領域には、少なくとも１つのデータが記録され、上記管理領域には、上記データ領域のデータを再生するか否かを選択的に制限する複数段階の第１の制限レベルが記録されている記録媒体からデータを再生するものにおいて、上記記録媒体のデータ領域のデータと上記管理領域の第１の制限レベルとを読取手段で読取り、暗証照合により装置側の複数段階の第２の制限レベルを設定手段で設定し、上記読取手段により読取られた第１の制限レベルと上記設定手段により設定されている第２の制限レベルとを比較することにより、データの再生が禁止されているか否かを判定し、この判定により、データの再生の禁止が判定された場合に、上記読取手段により読取られたデータの再生を禁止し、上記判定により、データの再生の禁止が判定されていない場合に、上記読取手段により読取られたデータを再生出力に変換するようにしたものである。
【００１６】
【実施例】
以下、図面を参照してこの発明の実施例に係る光ディスク再生装置を説明する。
【００１７】
図１は、この発明の一実施例に係る光ディスクからデータを再生する光ディス再生装置のブロックを示し、図２は、図１に示された光ディスクをドライブするディスクドライブ部のブロックを示し、図３は、図１及び図２に示した光ディスクの構造を示し、図４は図１、図２及び図３に示した光ディスクの記録構成を示している。
【００１８】
図１に示す光ディスク再生装置によって再生される光ディスク１０には、ＭＰＥＧ圧縮された動画をはじめ、音声、副映像等の各種のデータが、ＭＰＥＧ２のシステムレイヤに対応したデータフォーマットで記録されている。ここで、副映像は文字や簡単なアニメーションのデータをランレングス圧縮したものである。
【００１９】
図１に示す光ディスク再生装置においては、ユーザが本体のフロントパネルのキー操作部及び表示部４、あるいは本体と赤外線による光通信により接続されている遠隔操作装置としてのリモートコントロール５を操作することによって光ディスク１０から記録データ、即ち、映像データ、副映像データ及び音声データが再生され、装置内でオーディオ（音声）信号及びビデオ信号に変換されて装置外のモニタ部６及びスピーカ部８で映像及び音声として再現される。
【００２０】
上記キー操作部及び表示部４、リモートコントロール５は、光ディスク１０の再生、停止、早送り再生、巻き戻し再生、字幕（副映像）表示の有無、パレンタル制御（再生するか否かの制限）の解除、チャネル選択、メニュー選択等のユーザが様々な指示操作を行うために使用される。
【００２１】
ここで、パレンタル制御とは、光ディスク１０に記録されている映像等の視聴を国、宗教、年齢によって制限するものである。このパレンタル制御は、後述するように、シーケンスレベル、セルレベル、ＧＯＰ相当レベルの３つのレベルについて、光ディスク１０内に記述されて、処理されるようになっている。
【００２２】
上記光ディスク１０の各レベルで設定されるパレンタル制御はレベル１〜レベル５に徐々に制限が厳しくなる５段階に設定されており、レベル１の場合、誰でも視聴できる、つまり子供（Ｇ）が視聴できるレベルであり、レベル２の場合、親同伴に限り未成年者（ＰＧ）が視聴できるレベルであり、レベル３の場合、親同伴に限り１３才以上の未成年者（ＰＧ１３）が視聴できるレベルであり、レベル４の場合、成人（Ｒ）が視聴できるレベルであり、レベル５の場合、特定の人（ＵＮＬＩＭＩＴＥＤ）だけが視聴できるレベルである。
【００２３】
また、光ディスク再生装置側で設定される再生を制限する制限レベルとしてのレーティングレベルは、図５に示すように、上記パレンタル制御のレベル１〜レベル５に対応して５段階用意されており、子供（Ｇ）が視聴できるレベル、親同伴に限り未成年者（ＰＧ）が視聴できるレベル、親同伴に限り１３才以上の未成年者（ＰＧ１３）が視聴できるレベル、成人（Ｒ）が視聴できるレベル、特定の人（ＵＮＬＩＭＩＴＥＤ）だけが視聴できるレベルとなっている。
【００２４】
レーティングレベルは、使用者が設定するものであり、他のものが簡単に変えられないように暗証照合により、設定できるようになっている。また、使用者が暗証番号を忘れてしまった場合を考慮し、特定の暗証番号たとえば「００００」を入力したときにも、暗証番号の再設定が行え、レーティングレベルの変更も行えるようにしている。特定の暗証番号は他の番号でも良い。
【００２５】
この光ディスク再生装置側で設定されるレーティングレベルと視聴できるシーケンス（セル、ＧＯＰ）のパレンタル制御レベルとの関係について説明する。すなわち、図６に示すように、レーティングレベルが子供（Ｇ）が視聴できるレベルの場合、レベル１のパレンタル制御のシーケンスを再生することができ、レーティングレベルが親同伴に限り未成年者（ＰＧ）が視聴できるレベルの場合、レベル１、２のパレンタル制御のシーケンスを再生することができ、レーティングレベルが親同伴に限り１３才以上の未成年者（ＰＧ１３）が視聴できるレベルの場合、レベル１、２、３のパレンタル制御のシーケンスを再生することができ、レーティングレベルが成人（Ｒ）が視聴できるレベルの場合、レベル１、２、３、４のパレンタル制御のシーケンスを再生することができ、レーティングレベルが特定の人（ＵＮＬＩＭＩＴＥＤ）だけが視聴できるレベルの場合、レベル１、２、３、４、５のパレンタル制御のシーケンスを再生することができる。
【００２６】
この光ディスク再生装置は、ＭＰＥＧ圧縮された動画と音声と字幕等の為の文字や簡単なアニメーションに使用する副映像データをＭＰＥＧシステムレイヤにしたがって光ディスク１０から再生するシステムである。
【００２７】
また、文字や簡単なアニメーションは、ランレングス圧縮をされ、以後は副映像と称する。
【００２８】
上記キー操作部及び表示部４は、図７に示すように、電源キー４ａ、マイクの入力端子４ｂ、再生キー４ｃ、一時停止キー４ｄ、停止キー４ｅ、早送り後戻りキー４ｆ、光ディスク１０の取り込み取り外しを指示するオープン／クローズキー４ｇ、表示器４ｈ、光ディスク１０の挿入、取出口４ｉ等により構成されている。
【００２９】
上記リモートコントロール５は、図８に示すように、電源キー５ａ、テンキー５ｂ、停止キー５ｃ、再生キー５ｄ、一時停止キー５ｅ、メモリキー５ｆ、光ディスク１０の取り込み取り外しを指示するオープン／クローズキー５ｇ、早送り／後戻りキー５ｈ、５ｉ、リピートの指示と範囲を指示するリピートキー５ｊ、クリアキー５ｋ、セットキー５ｌ、およびメニュー画面表示時の項目を選択する際に用いる上下キー５ｍ等により構成されている。
【００３０】
既に知られるように光ディスク１０は、種々の構造があるが、図３に示すように、例えば、透明基盤１４上に記録層、即ち、光反射層１６が形成された構造体１８が一対用意され、この一対の構造体１８が記録層１６がその内部に封じ込まれるように接着層２０を介して張り合わされる高記録密度のタイプが出現している。このような構造の光ディスク１０では、その中心にスピンドルモータ１２のスピンドルが挿入される中心孔２２が設けられ、その中心孔２２の周囲には、この光ディスク１０をその回転時に押さえる為のクランピング領域２４が設けられている。
【００３１】
このクランピング領域２４から光ディスク１０の外周端までが光ディスク１０に情報を記録することができる情報記録領域２５に定められている。図３、図４に示す光ディスクでは、その両面に情報記録領域２５を有することとなる。各情報記録領域２５は、その外周領域が通常は情報が記録されないリードアウト領域２６に、また、クランピング領域２４に接するその内周領域が同様に、通常は情報が記録されないリードイン領域２７に定められ、更に、このリードアウト領域２６とリードイン領域２７の間がデータ記録領域２８に定められている。情報記録領域２５の記録層１６には、通常、データが記録される領域としてトラックがスパイラル状に連続して形成され、その連続するトラックは、図４に示すように、一定の記憶容量の複数の論理セクタ（最小記録単位）に分割され、この論理セクタを基準にデータが記録されている。この１つの論理セクタの記録容量と後述する１つのパックのデータ長が同じ２０４８バイトに決められている。情報記録領域２５のデータ記録領域２８は、実際のデータ記録領域であって、後に説明するように管理データ、主画像（主映像）データ、副画像（副映像）データ及び音声（オーディオ）データが同様にピット等の物理的状態変化として記録されている。読み出し専用の光ディスク１０では、透明基板１４にピット列が予めスタンパーで形成され、このピット列が形成された透明基板１４の面に反射層が蒸着により形成され、その反射層が記録層１４として形成されることとなる。また、この読み出し専用の光ディスク１０では、通常、トラックとしてのグルーブが特に設けられず、ピット列がトラックとして定められている。
【００３２】
このような光ディスク１０からデータを再生する光ディスク再生装置においては、光ディスク１０をドライブするディスクドライブ部３０で光ディスク１０が光ビームで検索される。即ち、図２に示すように、光ディスク１０は、モータ駆動回路１１によって駆動されるスピンドルモータ１２上に載置され、このスピンドルモータ１２によって回転されている。光ディスク１０の下方には、この光ディスク１０に光ビーム、即ち、レーザビームを集光する光ヘッド、即ち、光ピックアップ３２が設けられている。この光ヘッド３２は、情報記録領域２５、特に、データ記録領域２８を検索する為にその光ディスク１０の半径方向に移動可能にガイド機構（図示しない）に載置され、駆動回路３７からの駆動信号によって駆動されるフィードモータ３３で光ディスク１０の半径方向に移動される。光ディスク１０には、対物レンズ３４がその光軸に沿って移動可能に保持され、フォ―カス駆動回路３６からの駆動信号に応答してその光軸方向に移動され、常にフォ―カス状態に対物レンズ３４が維持され、微小ビームスポットが記録層１６上に形成される。また、この対物レンズ３４は、光ディスク１０の半径方向に沿って微動可能に保持され、トラック駆動回路３８からの駆動信号に応答して微動され、常にトラッキング状態に維持されて光ディスク１０の記録層１６上のトラックが光ビームで追跡される。
【００３３】
光ヘッド３２では、光ディスク１０から反射された光ビームが検出され、検出されたこの検出信号は、光ヘッド３２からヘッドアンプ４０を介してサーボ処理回路４４に供給されている。サーボ処理回路４４では、検出信号からフォ―カス信号、トラッキング信号及びモータ制御信号を生成し、これらの信号を夫々駆動回路３６、３８、１１に供給している。従って、対物レンズ３４がフォ―カス状態及びトラッキング状態に維持され、また、スピンドルモータ１２が所定の回転数で回転され、光ビームによって記録層１６上のトラックが光ビームで、例えば、線速一定で追跡される。システムＣＰＵ部５０からアクセス信号としての制御信号がサーボ処理回路４４に供給されると、サーボ処理回路４４から移動信号が駆動回路３７に供給され、光ヘッド３２が光ディスク１０の半径方向に沿って移動され、記録層１６の所定のセクタがアクセスされ、再生データがヘッドアンプ４０で増幅されてディスクドライブ部３０から出力される。出力された再生データは、システム用ＲＯＭ及びＲＡＭ部５２に記録のプログラムで制御されるシステムＣＰＵ部５０及びシステムプロセッサ部５４を介してデータＲＡＭ部５６に格納される。この格納された再生データは、システムプロセッサ部５４によって処理されてビデオデータ、オーディオデータ及び副映像データに分類され、ビデオデータ、オーディオデータ及び副映像データは、夫々ビデオデコーダ部５８、オーディオデコーダ部６０及び副映像デコーダ部６２に出力されてデコードされる。デコードされたビデオデータ、オーディオデータ及び副映像データは、Ｄ／Ａ及び再生処理回路６４でアナログ信号としてのビデオ信号、オーディオ信号及び副映像信号に変換されるとともにミキシング処理されてビデオ信号及び副映像信号がモニタ部６に、また、オーディオ信号がスピーカ部８に夫々供給される。その結果、モニタ部６に映像が表示されるとともにスピーカ部８から音声が再現される。上記システム用ＲＯＭ及びＲＡＭ部５２のＲＯＭには、この装置の動作を制御するためのプログラム（ソフトウエア）が格納されており、電源投入と共にシステムＣＰＵ部５０に読み込まれ実行される。また、このＲＯＭ内にはパレンタル処理中であることを画面表示するための文字データも格納されている。また、このＲＯＭ内にはパレンタル制限レベル（５段階の内の１つ）の基準レベルがあらかじめ設定されており、この光ディスク再生装置の基準制限レベルであり、たとえば国別のパレンタルの制限を与えることができるようになっている。このＲＯＭ内の基準制限レベルはたとえばディップスイッチ等により製造時に変更できるようにしても良い。これにより、国別によるパレンタルの制限を自動的に行うことができる。上記基準レベルはキー操作部及び表示部４、あるいはリモートコントロール５によってユーザによって変更されないようになっているため、国等で制限されている映像や音声をあらかじめ自動的に制限することができる。これにより、上記基準レベルより緩やかなレベル内で、上記レーティングレベルの設定ができるようになっている。たとえば、基準レベルがＰＧ１３の場合、レーティングレベルとしては、ＰＧ１３、ＰＧ、Ｇが設定できるようになっている。上記システム用ＲＯＭ及びＲＡＭ部５２のＲＡＭにはデータ処理のための作業領域が設けられている。
【００３４】
図１に示す光ディスク装置の詳細な動作については、次に説明する光ディスク１０の論理フォーマットとともに後により詳細に説明する。
【００３５】
図２に示される光ディスク１０のリードインエリア２７からリードアウトエリア２６までのデータ記録領域２８は、論理フォーマットとしてＩＳＯ９６６０に準拠した図９に示されるようなボリューム構造を有している。このボリューム構造は、階層構造のボリューム管理情報領域７０及びファイル領域８０から構成されている。ボリューム管理情報領域７０は、ＩＳＯ９６６０に準拠して定められた論理ブロック番号０から２３までが相当し、システム領域７２及びボリューム管理エリア７４が割り付けられている。システム領域７２は、通常は空き領域として内容は規定されていないが、たとえば光ディスク１０に記録するデータを編集する編集者の為に設けられ、編集者の意図に応じた光ディスク装置の駆動を実現する為のシステムプログラムが必要に応じて格納される。また、ボリューム管理領域７４には、ファイル領域８０のディスク情報ファイル７６（以下、単にディスク情報ファイル７６と称する。）、ムービファイル或いはミュージックファイル等のファイル７８を管理するボリューム管理情報、即ち、全のファイルの記録位置、記録容量及びファイル名等が格納されている。ファイル領域８０には、論理ブロック番号２４以降の論理ブロック番号で指定されるファイル番号０からファイル番号９９までのファイル７６、７８が配置され、ファイル番号０のファイル７６がディスク情報ファイル７６として割り付けられ、ファイル番号１からファイル番号９９までのファイル７８がムービファイル、即ち、映像ファイル、又はミュージックファイルとして割り付けられている。
【００３６】
ディスク情報ファイル７６は、図１０に示されるようにファイル管理情報エリア８２及びメニュー映像データエリア８４から構成され、ファイル管理情報エリア８２には、光ディスク１０の全体に記録されている選択可能なシーケンス、即ち、ビデオ又はオーディオのタイトルを選択するためのファイル管理情報が記述されている。また、メニュー映像データエリア８４には、タイトル等の選択メニューを表示する為のメニュー画面の画像データがセル単位のメニューデータセル９０として格納されている。即ち、メニュー映像用データエリア８４のメニュー映像データは、後に詳述するように、目的に応じて必要な大きさの単位に区切られ、光ディスク１０のメニュー映像データエリア８４への記録順に＃１から連続して番号が割り付けられたｉ個のメニューセル９０として定められている。このメニューセル９０には、ムービ或いはオーディオのタイトル選択、各タイトルのプログラム選択等に関する映像データ、副映像データ、或いは、オーディオデータが格納されている。
【００３７】
図１０に示されるようにファイル管理情報エリア８２は、光ディスク１０上に記録されている各ムービファイルあるいはミュージックファイルの構成内容の情報であるディスク構成情報（ＤＳＩＮＦ: ディスクサーチインフォメーション）を格納するディスク構成情報エリア８６、メニュー構成情報（ＭＳＩＮＦ: メニューストラクチャーインフォメーション）を格納するメニュー構成情報エリア８７、メニューセル情報（ＭＣＩ: メニューセルインフォメーション）を格納するメニューセル情報テーブル（ＭＣＩＴ: メニューセルインフォメーションテーブル）８８の３種類の情報領域があり、この順序で配列されている。
【００３８】
ディスク構成情報エリア８６のディスク構成情報（ＤＳＩＮＦ）は、ディスク上に記録されている各ムービファイルあるいはミュージックファイルの構成内容の情報であり、図１１に示すように、ＦＦＮＡＭＥ（ファイル名）、ＦＦＩＤ  （ファイル識別子）、ＤＳＩＮＦ（ファイル数）、ＦＳＩＮＦ（ファイル種別／タイトル選択対象シーケンス数）、ＦＣＩＮＦ（ファイル内副映像／オーディオ情報）、ＴＳＩＮＦ（各タイトル情報）の各パラメータから構成される。
【００３９】
ＦＦＮＡＭＥは、ファイル名を識別するためのもので、ディレクトリレコード中の該当するファイル識別子と同じ内容が記述される。
【００４０】
ＦＦＩＤには、ディスク情報ファイルであることを識別する情報としてのファイル識別子が記述される。
【００４１】
ＤＳＩＮＦは、光ディスク１０上に存在するムービファイルあるいはミュージックファイルの数（再生ファイル７８の数）が記述される。
【００４２】
ＦＳＩＮＦは、各ファイルのファイル種別（ムービファイル、ミュージックファイル）およびファイル中に存在する完結型シーケンスと接続型先頭シーケンスの数が記述される。
【００４３】
ＦＣＩＮＦは、ＦＮＡＳＴ（オーディオストリーム数）、ＦＮＳＰＣＨ（副映像チャネル数）、ＦＡＣＯＤＥ（オーディオストリーム種別）、ＦＳＰＣＯＤＥ（副映像チャネル種別）から構成される。
【００４４】
ＦＮＡＳＴは、ファイル内に存在するオーディオストリーム数が記述される。
【００４５】
ＦＮＳＰＣＨは、ファイル内に存在する副映像チャネル数が記述される。
【００４６】
ＦＡＣＯＤＥは、オーディオストリームの言語コード（英語、日本語等）をオーディオストリーム番号順に連続して記述されており、オーディオストリーム種別が言語以外の時はＦＦｈが記述される。
【００４７】
ＦＳＰＣＯＤＥは、副映像チャネルの言語コード（英語、独語等）をチャネル番号順に連続して記述されており、副映像種別以外の時はＦＦｈが記述される。
【００４８】
ＴＳＩＮＦには、各タイトルのパレンタル制御、アングル数、プログラム数がタイトル番号＃１から順にタイトル数分記述される。
【００４９】
タイトル数は、各ムービファイルあるいはミュージックファイル内に存在する完結型シーケンスと接続型先頭シーケンスの総和である。
【００５０】
タイトル番号はファイル番号＃１のシーケンスをタイトル＃１とし、ファイル番号＃１内のシーケンス番号の昇順に連続し、タイトル選択の対象となる最終シーケンス終了後、ファイル＃２シーケンス＃１に続く。
【００５１】
パレンタル制御は、シーケンスのパレンタルレベルが記述される。
【００５２】
アングル数は、シーケンス中に含まれるアングルブロックのアングルセル数が記述される。アングルブロックがない場合は０が記述される。
【００５３】
プログラム数は、シーケンス中のプログラム数が記述される。
【００５４】
メニュー構成情報エリア８７のメニュー構成情報（ＭＳＩＮＦ）は、ファイル内に記録されているメニューのための映像用データの位置情報であり、図１２に示すように、ＭＯＭＣＥＬ（メニューセル数）、ＴＭＳＣＥＬ（タイトルメニュー開始セル番号）、ＡＤＭＳＣＥＬ（オーディオメニュー開始セル番号）、ＳＰＭＳＣＥＬ（副映像メニュー開始セル番号）、ＰＥＭＳＣＥＬ（プログラムメニュー開始セル番号）、ＡＧＭＳＣＥＬ（アングルメニュー開始セル番号）のパラメータから構成される。
【００５５】
ＭＯＭＣＥＬには、本ファイルに記録されているメニューセル数が記述される。本ファイル内にメニューの映像用データが存在しない場合００ｈが記述される。
【００５６】
ＴＭＳＣＥＬには、タイトルメニューセルの開始セル番号が記述される。タイトルメニューセルが存在しない場合００ｈが記述される。
【００５７】
ＡＤＭＳＣＥＬには、オーディオメニューの開始セル番号が記述される。該当するファイル番号のオーディオメニューセルが存在しない場合００ｈが記述される。
【００５８】
ＳＰＭＳＣＥＬには、副映像メニューの開始セル番号が記述される。該当するファイル番号の副映像メニューセルが存在しない場合００ｈが記述される。
【００５９】
ＰＥＭＳＣＥＬには、プログラムメニューの開始セル番号が記述される。該当するタイトル番号のプログラムメニューセルが存在しない場合００ｈが記述される。
【００６０】
ＡＧＭＳＣＥＬには、アングルメニューの開始セル番号が記述される。アングルメニューセルが存在しない場合００ｈが記述される。
【００６１】
メニューセル情報テーブル（ＭＣＩＴ）８８は、各メニューセル９０の再生に必要な位置、サイズ、再生時間等のメニューセル情報（ＭＣＩ）を連続して記述したテーブルである。メニューセル情報テーブル（ＭＣＩＴ）８８には、メニューセル情報（ＭＣＩ）がメニューセル番号順に記述されたｉ個のメニューセル情報エリア８９の集合により規定されている。このメニューセル情報テーブル８８の各メニューセル情報（ＭＣＩ）は、図１３に示すように、ＭＣＣＡＴ（メニューセル種別）、ＭＣＳＳＣＲ（メニューセル開始パック）、ＭＣＳＬＢＮ（メニューセル開始論理ブロック番号）、ＭＣＮＬＢ（構成論理ブロック数）の各パラメータから構成される。
【００６２】
ＭＣＣＡＴ（メニューセル種別）には、コピーが許可か禁止かを示すコピー制御情報、メニューセルを構成する映像用データのすべてのパレンタルレベルを示すパレンタル制御情報、タイトルメニュー、プログラムメニュー、オーディオメニュー、副映像メニュー、アングルメニューかを示すメニューセル種別情報、およびメニューセルの言語コードが記述される。
【００６３】
言語コードは、言語コードテーブルのコード番号が記述される。
【００６４】
ＭＣＳＳＣＲは、メニューセルの開始パックに記述されているＳＣＲ（システムクロックリファレンス、システム時刻基準参照値）の上位３２ビットが記述される。
【００６５】
ＭＣＳＬＢＮは、メニューセルの開始アドレスであるファイル先頭からオフセット論理ブロック番号が記述される。
【００６６】
ＭＣＮＬＢは、メニューセルを構成する論理ブロック数が記述される。
【００６７】
ここで、ディスク構成情報（ＤＳＩＮＦ）及びメニュー構成情報（ＭＳＩＮＦ）は、ファイル管理情報エリア８２に連続して記述され、メニューセル情報テーブル（ＭＣＩＴ）８８は、論理ブロックの境界にアライメントされている。
【００６８】
図１４は、ディスク構成情報（ＤＳＩＮＦ）の具体例を示している。この例において、ファイル名“NEWMOVIE.MOV;1" 、ディスク情報ファイル識別子“SDIF0000" 、ファイル数＝１（０１Ｈ）、ファイル種別＝映像（００Ｈ）、シーケンス数＝２（０２Ｈ）、オーディオストリーム数＝３（０３Ｈ）、副映像チャネル数＝２（０２Ｈ）、オーディオストリーム＃１＝英語（１０Ｈ）、＃２＝仏語（１２Ｈ）、＃３＝独語（１３Ｈ）、副映像チャネル＃１＝英語（１０Ｈ）、＃２＝日本語（１ＤＨ）、タイトル＃１のパレンタル制御＝３、タイトル＃１のアングル数＝２（０２Ｈ）、タイトル＃１のプログラム数＝３（０３Ｈ）、タイトル＃２のパレンタル制御＝５、タイトル＃２のアングル数＝０（００Ｈ）、タイトル＃２のプログラム数＝５（０５Ｈ）である。
【００６９】
また、１又は複数タイトルのミュージックデータ或いはムービデータがファイル番号１からファイル番号９９までに相当するムービファイル及びミュージックファイル７８に格納されている。このファイル７８は、夫々図１５に示すように当該ファイル７８に含まれるデータに対する諸元情報、即ち、管理情報（例えば、アドレス情報及び再生制御情報等）が記述されているファイル管理情報エリア１０１及び当該ファイル７８の映像データ（ビデオ、オーディオ及び副映像データ等を単に映像データと称する。）が記述されている映像用データエリア１０２から構成されるファイル構造を有している。映像用データエリア１０２には、ディスク情報ファイル７６のメニューセル９０と同様に映像データがセル単位に分割され、映像データがｊ個の映像用データセル１０５として配列されている。
【００７０】
通常、あるタイトルのムービデータ或いはオーディオデータは、連続するシーケンス１０６の集合として表される。例えば、映画のストーリーは、「起」、  「承」、「転」及び「結」に相当するような連続するシーケンス１０６で表現される。従って、各ファイル７８の映像用データエリア１０２は、図１６に示すようにシーケンス１０６の集合として定義される。また、各シーケンス１０６は、ストーリの種々の場面に相当する複数の映像プログラム（チャプター）１０７で表され、各映像プログラム１０５が複数の映像用データセル１０５で構成されている。各映像セル１０５は、図１７に示されるようにディスクサーチ情報（ＤＳＩ）パック９２、主映像パック９３、副映像パック９５及びオーディオパック９８を組み合わせた１画像グループ（ＧＯＰ:  Group of Picture ）が複数グループ配列されて構成されている。この映像セル１０５の構成は、メニューセル９０と略同様であって、この映像用データ１０２は、ＭＰＥＧ規格(Moving Picture Expert Group) 等の圧縮規格に従って圧縮された動画（ムービ）、音声（オーディオ）及び副映像等のデータがＭＰＥＧ２のシステムレーヤに対応したデータフォーマットで記録されている。即ち、映像用データ１０２は、ＭＰＥＧ規格で規定されるプログラムストリーマとなっている。更に、各パック９２、９３、９５、９８は、パックヘッダ９７及びパックに対応するパケット９９から構成されるパック構造を有している。
【００７１】
上記動画における主映像パックは、ＭＰＥＧ規格に従って、Ｉピクチャー、Ｐピクチャー、Ｂピクチャーによって構成されている。複数の副映像パックにより副映像ユニットが構成され、この副映像ユニットにより１つの静止画が得られるようになっており、１つのセル内で最低１つの副映像ユニットが構成できるようになっている。
【００７２】
ファイル管理情報エリア１０１は、ファイル管理テーブル（ＦＭＴ:  File Management Table）１１３、シーケンス情報テーブル（ＳＩＴ:  Sequence Information Table ）１１４、セル情報テーブル（ＣＩＴ:  Cell Information Table ）１１５等から構成される。
【００７３】
映像用データエリア１０２の映像用データセルは、光ディスク１０への記録順に＃１から連続して番号が振り分けられ、このセル番号及びこのセル番号に関連させてセルに関する情報がセル情報テーブル１１５に記述されている。即ち、セル情報テーブル１１５には、映像用データセルの再生に必要な情報をセル番号順に記述したｊ個のセル情報（ＣＩ）が格納されるエリア１１７の集合に定められ、このセル情報（ＣＩ）には、ファイル７８内のセルの位置、サイズ、再生時間等の情報が記述されている。
【００７４】
図１８には、このセル情報テーブル１１５に格納されるセル情報（ＣＩ）の内容が示されている。このセル情報領域１１７に記述されるセル情報（ＣＩ）は、映像データを目的に応じた単位で分割した映像セルの開始位置及びサイズ等の内容がパラメータで記述される。即ち、このセル情報（ＣＩ）は、映像セルがムービ、カラオケ及びインタラクティブメニューのいずれであるか等の映像セルの内容を示すセル種別情報（ＣＣＡＴ）、映像セルのトータル再生時間を示すセル再生情報（ＣＴＩＭＥ）、セルの開始パックに記述されているＳＣＲ（システム時刻基準参照値）の上位３２ビットを記述する（ＣＳＳＣＲ）、映像セルの開始位置、即ち開始アドレス（ファイル先頭からのオフセット論理ブロック番号）を示すセル開始位置情報（ＣＳＬＢＮ）及び映像セルを構成するサイズ（論理ブロック数）を示したセルサイズ情報（ＣＮＬＢ）等から構成されている。
【００７５】
セル種別情報（ＣＣＡＴ）は、コピー許可か禁止かを示すコピー制御情報、セルを構成する映像用データのパレンタルレベルを示すパレンタル制御情報、映像セルがムービ、カラオケ及びインタラクティブメニューのいずれであるかを示すセル種別情報、セル種別情報がインタラクティブメニューの場合の言語コードから構成されている。
【００７６】
シーケンス情報テーブル１１４は、シーケンス１０６毎に指定された範囲内のセル１０５を選択して再生する順序等を記述したｉ個のシーケンス情報（ＳＩ）が格納されるエリア１１６の集合に定められ、各シーケンス情報（ＳＩ）には、そのシーケンス１０６内に記録されている映像セル１０５の再生順序及び再生に関する再生制御情報が記述されている。このシーケンス１０６には、１シーケンスで完結する完結型シーケンス、１シーケンス毎に次のシーケンスに分岐接続される接続型シーケンスがあり、接続型シーケンスには、マルチストーリに相当するビデオデータの先頭シーケンスであって、このシーケンスから分岐して次のシーケンスに接続されることが可能な接続型先頭シーケンス、即ち、ストーリがその選択の仕方で変化する接続型先頭シーケンス、他の接続型シーケンスから分岐されて更に他のシーケンスに接続される接続型中間シーケンス、及び他の接続型シーケンスから接続され、そのシーケンスを終了する接続型終了シーケンス、即ち、このシーケンスでストーリが終了する接続型終了シーケンスがある。このシーケンス情報の番号は、シーケンス番号１からｉと定義され、各々の開始位置情報は、ファイル管理情報テーブル１１３に書き込まれている。
【００７７】
図１９には、図１５に示されたファイル管理情報エリア１０１内のシーケンス情報テーブル１１４に格納される１つのシーケンス情報（ＳＩ）の内容が示されている。図１９に示すようにシーケンス情報エリア１１６には、映像セルの再生順序及びシーケンス情報等が記述される。このシーケンス情報（ＳＩ）の番号は、シーケンスの番号に一致し、シーケンス情報テーブル１１４にその番号順に割り付けられている。シーケンス番号１は、デフォルト再生シーケンスであり、シーケンスを構成するセルの配置は指定順序通りに連続することが望ましいとされている。このシーケンス情報１１６は、シーケンス種別情報（ＳＣＡＴ）、構成プログラム数（ＳＮＰＲＧ）、構成セル数（ＳＮＣＥＬ）、シーケンス再生時間（ＳＴＩＭＥ）、接続シーケンス数情報（ＳＮＣＳＱ）、シーケンス番号リスト情報（ＳＣＳＱＮ）及びシーケンス制御情報（ＳＣＩＮＦ）から構成されている。
【００７８】
シーケンス種別情報（ＳＣＡＴ）には、コピー許可か禁止かを示すコピー制御情報、シーケンス中に含まれるセルのパレンタルレベルの最大値であるシーケンスのパレンタルレベルを示すパレンタル制御情報、１シーケンス再生して終了する完結型シーケンス、マルチストーリに相当するビデオデータの先頭シーケンスであって、このシーケンスから分岐して次のシーケンスに接続されることが可能な接続型先頭シーケンス、他の接続型シーケンスから分岐されて更に他のシーケンスに接続される接続型中間シーケンス、及び、他の接続型シーケンスから接続され、そのシーケンスを終了する接続型終了シーケンスのいずれであるかを示すシーケンスタイプ情報、ムービ、カラオケ及びインタラクティブメニューのいずれであるかを示すシーケンス用途情報が記述される。構成プログラム数（ＳＮＰＲＧ）には、シーケンスを構成するプログラム数が記述される。構成セル数（ＳＮＣＥＬ）には、シーケンスを構成している延べセル数が記述される。
【００７９】
シーケンス再生時間（ＳＴＩＭＥ）には、シーケンスのトータル再生時間が記述され、接続シーケンス数情報（ＳＮＣＳＱ）には、接続型シーケンスにおいてそのシーケンスを再生後にそのシーケンスに接続可能なシーケンスの数が記述され、シーケンス番号リスト情報（ＳＣＳＱＮ）には、接続シーケンス数情報（ＳＮＣＳＱ）に記述された数分の接続先のシーケンスの番号がリストとして記述され、更に、シーケンス制御情報（ＳＣＩＮＦ）には、シーケンスを構成するセルの再生順序が記述され、この記述に従って、セルが再生されてシーケンスが実行される。複数のセルの中から１つのセルを選択して再生する区間は、セルの集合としてのブロックで記述され、そのブロックを指定することによってそのブロックのシーケンスが実行される。また、シーケンスは、再生順が連続する１つ以上のセルを組合せた再生単位としてのプログラムが定義され、その番号が記述される。シーケンス内のプログラム番号は＃１から昇順に割り付けられる。
【００８０】
ファイル管理テーブル１１３は、その映像用ファイル７８に関する諸元情報を示している。このファイル管理テーブル１１３には、そのファイル名及び光ディスクが装填された光ディスク再生装置で再生可能なファイルか否かを識別する為のファイル識別子が記述されている。また、このファイル管理テーブル１１３には、シーケンス情報テーブル１１４及びセル情報テーブル１１５の開始アドレス及びそれぞれのテーブルに記述されるシーケンス情報１１６及びセル情報１１７の個数、さらに、ファイル７８の先頭からの相対距離で示されるシーケンス情報テーブル１１４の開始アドレス並びにこのシーケンス情報テーブル１１４の先頭からの相対距離で示される各シーケンス情報１１６の開始アドレス、映像用データ１０２の開始アドレス、各データを再生するための情報としてのデータ属性等が記述されている。
【００８１】
ファイル管理テーブル（ＦＭＴ）１１３は複数のパラメータが記録される領域からなり、各領域には、図２０に示すように、ファイル名（ＦＦＮＡＭＥ）、ムービファイルであることを識別する情報としてのファイル識別子（ＦＦＩＤ）、論理ブロック数で記述されるファイル管理テーブル（ＦＭＴ）のサイズ（ＦＳＺＦＭＴ）、このファイル中に存在する総シーケンス数（ＦＮＳＱ）、このファイル中に存在するセル数（ＦＮＣＥＬ）、このファイルの映像用データ中に存在するディスクサーチ情報（ＤＳＩ）パック数（ＦＮＤＳＩＰ）、このファイルのサイズに対応する論理ブロック数（ＦＮＬＢ）、ファイル先頭からのオフセット論理ブロック番号で示されるこのファイル内のシーケンス情報テーブル１１４の開始アドレス（ＦＳＡＳＩＴ）、ファイル先頭からのオフセット論理ブロック番号で示されるこのファイル内のセル情報テーブル１１５の開始アドレス（ＦＳＡＣＩＴ）、ファイル先頭からのオフセット論理ブロック番号で示されるこのファイル内のディスクサーチマップ開始アドレス（ＦＳＡＤＳＭ）、ファイル先頭からのオフセット論理ブロック番号で示されるこのファイル内の映像用データ開始アドレス（ＦＳＡＤＶＤ）、シーケンス情報の記述順にシーケンス分記述されるこのファイルのシーケンス情報テーブル１１４中の各シーケンス情報の開始アドレス（シーケンス情報テーブル１１４の先頭からのオフセットバイト番号）およびサイズ（ＦＳＡＥＳＩ）、シーケンス情報の記述順にシーケンス分記述されるこのファイル内に存在する各シーケンス中で使用するセルの最小番号と最小番号から最大番号間でのセル数（ＦＳＮＣＩＢ）、このファイル内に記録されているビデオデータの再生形態を示すビデオデータ属性（ＦＶＡＴＲ）、このビデオデータと同一時間帯で再生可能な、このファイル内に記録されているオーディオデータのストリーム（データ列）数を示すオーディオストリーム数（ＦＮＡＳＴ）、これらのストリーム数分だけのストリーム番号と記録順を対応させた個々のオーディオストリーム属性（ＦＡＡＴＲ）、上記ビデオデータと同一時間帯で再生可能なこのファイル内に記録されている副映像データのチャネル数を示す副映像チャネル数（ＦＮＳＰＣＨ）、これらのチャネル数分だけチャネル番号と記録順を対応させた個々の副映像チャネル属性（ＦＳＰＡＴＲ）、ファイルの映像用データのすべてのチャネルにおいて使用する副映像カラーパレット（ＦＳＰＰＬＴ）、ベンダが特定用途のために自由に使用できる領域を定義するベンダ定義（ＦＶＤＥＦ）等のパラメータが記録されている。
【００８２】
図２０において、オーディオストリーム数がｎ個のとき、それに続くオーディオデータ属性は＃１〜＃ｎまでストリーム番号順に連続して記録される。
【００８３】
また上記と同様に、副映像チャネル数がｍ個のとき、それに続く副映像データ属性は＃１〜＃ｍまでチャネル番号順に連続して記録される。
【００８４】
ここで、オーディオストリーム数、あるいは副映像チャネル数が、零（０）の場合は、オーディオデータ属性、あるいは副映像データ属性は、記録されない。
【００８５】
上記映像用データは、図１５〜図１７、図２１に示すように、主映像（ビデオ）データ、オーディオデータ、副映像データ、ディスクサーチ情報（ＤＳＩ）データの集まりであり、それぞれパック単位で記録されている。
【００８６】
上記パックは、図２２から図２５に示すように、パックヘッダと主映像データ、副映像データ、ディスクサーチ情報（ＤＳＩ）のいずれかのデータから構成されるパケットにより構成されている。
【００８７】
上記パックのパック長は、２０４８バイト（１論理セクタ）となるように調整されている。
【００８８】
パックヘッダは、４バイトのパックスタートコード（０００００１ＢＡｈ）、６バイトのＳＣＲ（システムクロックリファレンス、システム時刻基準参照値）、３バイトの多重化レート（ＭＵＸレート；０４６８Ａ８ｈ）、１バイト〜７バイトのスタッフィングバイト（００ｈ）により構成される。パケットは、基準として２０３４バイトで構成され、このパケットには、パック長調整用のパディングパケット（各バイト単位にデータとして意味をなさない補充用のデータ００ｈが記録される）が必要に応じて設けられるようになっている。
【００８９】
上記各パックは、ディスクサーチ情報データからなるディスクサーチ情報（ＤＳＩ）パック９２、主映像データからなる主映像パック９３、副映像データからなる副映像パック９５及びオーディオパック９８となっている。
【００９０】
次に、上記各パックについて詳細に説明する。
【００９１】
ディスクサーチ情報パック９２は、図２２に示すように、１つのＧＯＰの先頭のデータを含む主映像パックの直前に配置されるものであり、１４バイトのパックヘッダと、２４バイトのシステムヘッダと、６バイトのパケットヘッダと２００４バイトまでのディスクサーチ情報データが格納可能なデータ領域よりなるＤＳＩパケットで、１つのパックが構成されている。
【００９２】
パックヘッダは、上述したように、４バイトのパックスタートコード（０００００１ＢＡｈ）、６バイトのＳＣＲ（システムクロックリファレンス、システム時刻基準参照値）、３バイトの多重化レート（ＭＵＸレート；０４６８Ａ８ｈ）、１バイト〜７バイトのスタッフィングバイト（００ｈ）により構成される。
【００９３】
システムヘッダは、４バイトのシステムヘッダスタートコード（０００００１ＢＢｈ）、２バイトのヘッダ長等により構成される。
【００９４】
パケットヘッダは、３バイトのパケットスタートコード（０００００１ｈ）、１バイトのストリームＩＤ、２バイトのＰＥＳ（Packetized Elementary Streme）パケット長により構成される。
【００９５】
主映像パック９３は、図２３の（ａ）（ｂ）に示すように、１４バイトのパックヘッダと、９バイトのパケットヘッダと２０２５バイトまでの主映像データが格納可能なデータ領域によりなる主映像パケット、あるいは１９バイトのパケットヘッダと２０１５バイトまでの主映像データが格納可能なデータ領域によりなる主映像パケットで、１つのパックが構成されている。パックヘッダは、上記ＤＳＩパック９２の場合と同じ構成である。
【００９６】
パケットヘッダが９バイトの場合は、３バイトのパケットスタートコード（０００００１ｈ）、１バイトのストリームＩＤ、２バイトのＰＥＳ（Packetized Elementary Streme）パケット長、３バイトのＰＥＳに関するデータにより構成される。
【００９７】
パケットヘッダが１９バイトの場合は、上記９バイトの他に、５バイトのＰＴＳ（Presentation Time Stamp ；再生出力の時刻管理情報）と５バイトのＤＴＳ（Decoding Time Stamp ；復号の時刻管理情報）がさらに追加構成されている。このＰＴＳとＤＴＳは、ＧＯＰのＩピクチャ先頭のデータを含む主映像パケットのみに記述される。
【００９８】
オーディオパック９８は、図２４の（ａ）（ｂ）に示すように、１４バイトのパックヘッダと、１４バイトのパケットヘッダと２０２０バイトまでのオーディオデータが格納可能なデータ領域によりなるオーディオパケット（オーディオデータがＡＣ３の場合）、あるいは１４バイトのパケットヘッダと１バイトのサブストリームＩＤと２０１９バイトまでのオーディオデータが格納可能なデータ領域によりなるオーディオパケット（オーディオデータがリニアＰＣＭの場合）で、１つのパックが構成されている。パックヘッダは、上記ＤＳＩパック９２の場合と同じ構成である。
【００９９】
パケットヘッダは、３バイトのパケットスタートコード（０００００１ｈ）、１バイトのストリームＩＤ、２バイトのＰＥＳ（Packetized Elementary Streme）パケット長、３バイトのＰＥＳの内容、５バイトのＰＴＳ（Presentation Time Stamp ；再生出力の時刻管理情報）により構成される。
【０１００】
オーディオデータがリニアＰＣＭの場合に付与されるサブストリームＩＤには、リニアＰＣＭストリームを示すコードが付与されている。
【０１０１】
副映像パック９５は、図２５の（ａ）（ｂ）に示すように、１４バイトのパックヘッダと、９バイトのパケットヘッダと１バイトのサブストリームＩＤと２０２４バイトまでの副映像データが格納可能なデータ領域によりなる副映像パケット、あるいは１４バイトのパケットヘッダと１バイトのサブストリームＩＤと２０１９バイトまでの副映像データが格納可能なデータ領域によりなる副映像パケットで、１つのパックが構成されている。パックヘッダは、上記ＤＳＩパック９２の場合と同じ構成である。
【０１０２】
サブストリームＩＤには、副映像ストリームを示すコードが付与されている。
【０１０３】
パケットヘッダが９バイトの場合は、３バイトのパケットスタートコード（０００００１ｈ）、１バイトのストリームＩＤ、２バイトのＰＥＳ（Packetized Elementary Streme）パケット長、３バイトのＰＥＳに関するデータにより構成される。
【０１０４】
パケットヘッダが１４バイトの場合は、上記９バイトの他に、５バイトのＰＴＳ（Presentation Time Stamp ；再生出力の時刻管理情報）がさらに追加構成されている。このＰＴＳは、各副映像ユニットの先頭データを含む副映像パケットのみに記述される。
【０１０５】
上記各パックに記述されるＳＣＲは、各ファイル後との映像用データの先頭パックの値を０とし、光ディスク１０への記録順に昇順に増加するようになっている。
【０１０６】
上記ＤＳＩパック９２に記述されるディスクサーチ情報（ＤＳＩ）は、１つのＧＯＰの先頭に設定されるものであり、図２６に示すように、一般情報、再生同期情報、ＤＳＩパックアドレス情報、アングルアドレス情報、エフェクト情報、ハイライト情報により構成されている。
【０１０７】
一般情報は、図２７に示すように、ＤＳＣＲ、ＶＳＰＴＳ、ＤＬＢＮ、ＣＥＬＮ、ＰＣＴＬのパラメータにより構成されている。ＤＳＣＲは、ＤＳＩのＳＣＲ（システムクロックリファレンス、システム時刻基準参照値）であり、ＶＳＰＴＳは、ＧＯＰの再生タイムスタンプであり、ＤＬＢＮは、ＤＳＩの論理ブロック番号であり、ＣＥＬＮは、セル番号であり、ＰＣＴＬは、パレンタル制御のレベルである。ＤＳＩのＳＣＲには、パックヘッダに記述されるＳＣＲが記述される。ＧＯＰの再生タイムスタンプには、このＧＯＰの符号表示先頭フレームの再生開示時刻が記述される。ＤＳＩの論理ブロック番号には、このＤＳＩパックのアドレスがファイル先頭からのオフセット論理ブロック番号で記述される。セル番号には、このＧＯＰが属するセル番号が記述される。パレンタル制御のレベルには、ＧＯＰ再生期間のパレンタル制御のレベル（たとえば５段階）が記述される。このパレンタルレベルは所属するセルと一致している。
【０１０８】
再生同期情報は、ＧＯＰの再生開始時刻と位置情報、ビデオデータと同期して再生するオーディオデータ、副映像データの再生開始時刻と位置情報である。
【０１０９】
再生同期情報は、ＩピクチャのＰＴＳ、Ｉピクチャを含むパックのアドレス、オーディオのＰＴＳ、オーディオのパックアドレス、副映像のＰＴＳ、副映像のパックアドレスにより構成されている。ＩピクチャのＰＴＳには、Ｉピクチャの再生開始時刻がＧＯＰの再生タイムスタンプからのオフセットＰＴＳで記述される。Ｉピクチャを含むパックのアドレスには、Ｉピクチャを含むビデオパックのアドレスがこのＤＳＩパックからのオフセット論理ブロック番号で記述される。オーディオのＰＴＳには、Ｉピクチャの再生開始時刻以降で最も近い再生開始時刻を持つオーディオパケットのＰＴＳが、ＧＯＰの再生タイムスタンプからのオフセットＰＴＳで記述される。オーディオのパックアドレスには、オーディオのＰＴＳで対象となるオーディオパックのアドレスが、このＤＳＩパックからのオフセットＰＴＳで記述される。副映像のＰＴＳには、ＧＯＰの再生期間に再生する副映像パックの再生開始時刻と終了時刻がＧＯＰの再生タイムスタンプからのオフセットＰＴＳで記述される。副映像のパックアドレスには、副映像のＰＴＳの対象となる副映像パックのアドレスが、このＤＳＩパックからのオフセット論理ブロック番号で記述される。
【０１１０】
ＤＳＩパックアドレス情報は、他のＤＳＩパック９２の位置情報である。
【０１１１】
アングルアドレス情報は、他のアングルの位置情報である。
【０１１２】
エフェクト情報には、ＧＯＰ再生期間に発生する各種エフェクト処理が記述される。
【０１１３】
ハイライト情報は、メニュー画面の選択項目の位置と変更色、変更コントラスト情報であり、所属するセルがメニューセルおよびインタラクティブメニューセルの場合のみ、この情報が有効である。
【０１１４】
ハイライト情報は、選択項目開始番号／項目数、選択項目の位置、色、コントラストから構成される。選択項目開始番号／項目数には、メニュー画面上に副映像で表示される選択項目の開始番号と選択項目数が記述される。選択項目の位置、色、コントラストには、メニュー画面の対応する選択項目の表示矩形領域と、選択されたときに変更する色およびコントラスト情報が開始選択番号から順に選択項目数分記述される。表示矩形領域は、ビデオ表示の左上を原点とするＸＹ座標で定義される。
【０１１５】
上記システムプロセッサ部５４には、パケットの種別を判断してそのぱけっ都内のデータを各デコーダへ転送するパケット転送処理部２００を有している。このパケット転送処理部２００は、図２８に示すように、メモリインターフェース部（メモリＩ／Ｆ部）２０１、スタッフィング長検知部２０２、パックヘッダ終了アドレス算出部２０３、パック種別判別部２０４、パケットデータ転送制御部２０５、およびデコーダインターフェース部（デコーダＩ／Ｆ部）２０６により構成されている。
【０１１６】
メモリＩ／Ｆ部２０１は、データＲＡＭ部５６からのパックデータをデータバスによりスタッフィング長検知部２０２、パック種別判別部２０４、パケットデータ転送制御部２０５、およびデコーダＩ／Ｆ部２０６へ出力するものである。
【０１１７】
スタッフィング長検知部２０２は、メモリＩ／Ｆ部２０１から供給されるパックデータ中のパックヘッダ内のスタッフィング長が何バイトであるかを検知するものであり、この検知結果はパックヘッダ終了アドレス算出部２０３に出力される。
【０１１８】
パックヘッダ終了アドレス算出部２０３は、スタッフィング長検知部２０２から供給されるスタッフィング長により、パックヘッダ終了アドレスを算出するものであり、この算出結果はパック種別判別部２０４およびパケットデータ転送制御部２０５に出力される。
【０１１９】
パック種別判別部２０４は、パックヘッダ終了アドレス算出部２０３から供給されるパックヘッダ終了アドレスに従って、上記メモリＩ／Ｆ部２０１ａから供給されるパックデータ中のそのアドレスの次に供給される４バイトのデータの内容により、主映像パック、オーディオパック、副映像パック、ＤＳＩパックのいずれであるかを判別するものであり、この判別結果はパケットデータ転送制御部２０５に出力される。
【０１２０】
すなわち、４バイトのシステムヘッダスタートコードが供給された場合、ＤＳＩパックと判別し、３バイトのパケットスタートコードと１バイトの主映像ストリームを示すストリームＩＤにより主映像パックと判別し、３バイトのパケットスタートコードと１バイトのストリームＩＤによりオーディオパックと判別し、３バイトのパケットスタートコードと１バイトのストリームＩＤにより副映像パックと判別するようになっている。ただし、ストリームＩＤとしてプライベートストリームの場合、パケットヘッダに続くサブストリームＩＤによりオーディオパックか副映像パックかを判別するようになっている。
【０１２１】
パケットデータ転送制御部２０５は、パックヘッダ終了アドレス算出部２０３から供給されるパックヘッダ終了アドレスとパック種別判別部２０４から供給されるパック種別の判別結果に応じて、転送先とパケットスタートアドレスを判断し、さらに供給されるパックデータのパケットヘッダ内のパケット長を判断するものである。さらに、パケットデータ転送制御部２０５は、転送コントロール信号としての転送先を示す信号をデコーダＩ／Ｆ部２０６に供給し、パケットスタートアドレスからパケット終了アドレスがメモリＩ／Ｆ部２０１に供給されるようになっている。
【０１２２】
デコーダＩ／Ｆ部２０６は、パケットデータ転送制御部２０５から供給される転送コントロール信号に応じて、メモリＩ／Ｆ部２０１からパケットデータ転送制御部２０５に制御されて供給されるパケットヘッダを含むパケットデータとしての、主映像データ、オーディオデータ、あるいは副映像データを、対応するデコーダ部５８、６０、６２に出力したり、パケットデータとしてのＤＳＩをデータＲＡＭ部５６に出力するものである。
【０１２３】
次に、再び図１を参照して図９から図２１に示す論理フォーマットを有する光ディスク１０からのムービデータの再生動作について説明する。尚、図１においてブロック間の実線の矢印は、データバスを示し、破線の矢印は、制御バスを示している。
【０１２４】
図１に示される光ディスク装置においては、電源が投入されると、システム用ＲＯＭ及びＲＡＭ５２からシステムＣＰＵ部５０は、初期動作プログラムを読み出し、ディスクドライブ部３０を作動させる。従って、ディスクドライブ部３０は、リードイン領域２７から読み出し動作を開始し、リードイン領域２７に続くボリューム管理領域７０のボリューム管理情報エリア７４からボリューム管理情報が読み出される。即ち、システムＣＰＵ部５０は、ディスクドライブ部３０にセットされた光ディスク１０の所定位置に記録されているボリューム管理情報エリア７４からボリューム管理情報を読み出す為に、ディスクドライブ部３０にリード命令を与え、ボリューム管理情報の内容を読み出し、システムプロセッサ部５４を介して、データＲＡＭ部５６に一旦格納する。システムＣＰＵ部５０は、データＲＡＭ部５６に格納されたボリューム管理情報のデータ列から各ファイルの記録位置や記録容量等の情報やその他管理に必要な情報を抜き出し、システム用ＲＯＭ＆ＲＡＭ部５２の所定の場所に転送し、保存する。
【０１２５】
次に、システムＣＰＵ部５０は、システム用ＲＯＭ＆ＲＡＭ部５２から、先に取得した各ファイルの記録位置や記録容量の情報を参照してファイル番号０番に相当するディスク情報ファイル７６を取得する。即ち、システムＣＰＵ部５０は、システム用ＲＯＭ及びＲＡＭ部５２から、先に取得した各ファイルの記録位置や記録容量の情報を参照してディスクドライブ部３０に対してリード命令を与え、ファイル番号が０であるディスク情報ファイル７６のファイル管理情報を読み出し、システムプロセッサ部５４を介して、データＲＡＭ部５６に格納する。取得した情報を同様にシステム用ＲＯＭ＆ＲＡＭ部５２の所定の場所に転送し保存する。
【０１２６】
システムＣＰＵ部５０は、セットアップメニューを図示しないキャラクタジェネレータを用いて生成し、モニタ部６の画面に表示する。このセットアップメニューは、図２９の（ａ）に示すように、モニタ部６の表示アスペクト比が１６：９か４：３か、アングルマークがオンかオフか、レーティングコード、メインメニューの各項目が表示される。
【０１２７】
この表示において、上下キー５ｍによりハイライト表示される項目を変更し、レーティングコードの部分がハイライト表示されるようにし、つまり暗証番号入力モードに設定する。この際、暗証番号未設定状態の場合、システムＣＰＵ部５０は、モニタ部６で、図２９の（ａ）に示すように、上記レーティングコードの暗証番号部分の下線を表示するとともに、１桁目を点滅表示する。
【０１２８】
この表示に応じて、テンキー５ｂにより４桁の暗証番号を入力する。この４桁の暗証番号の入力により、システムＣＰＵ部５０は、モニタ部６で、図２９の  （ｂ）に示すように、レーティングコードの暗証番号部分に入力された暗証番号たとえば「１２３４」が表示されるとともに、セットキーの入力が案内表示される。この場合、「００００」は特定番号となっているため、暗証番号に設定できないようになっている。また、入力した暗証番号を変更する場合、クリアキー５ｋを入力することにより、再入力できる。
【０１２９】
上記案内に応じて、セットキー５ｌが入力されると、システムＣＰＵ部５０は、設定された暗証番号をシステム用ＲＯＭ＆ＲＡＭ部５２のＲＡＭに記憶し、さらにモニタ部６で、図２９の（ｃ）に示すように、「ロックリミテーション  “ＵＮＬＩＭＩＴＥＤ“」が表示される。この際、再生不可能なレベルとしてのロックリミテーション（レーティングレベル）の初期値として“ＵＮＬＩＭＩＴＥＤ“が表示される。
【０１３０】
このレーティングレベルは、早送り／後戻りキー５ｈの入力により、再生不可能なレベルとしてのロックリミテーション“Ｒ、ＵＮＬＩＭＩＴＥＤ“、“ＰＧ１３、Ｒ、ＵＮＬＩＭＩＴＥＤ“、“ＰＧ、ＰＧ１３、Ｒ、ＵＮＬＩＭＩＴＥＤ“、“Ｇ、ＰＧ、ＰＧ１３、Ｒ、ＵＮＬＩＭＩＴＥＤ“に変更される。
【０１３１】
たとえば、レーティングレベルとしてＰＧ１３を選択する場合、モニタ部６で、図２９の（ｄ）に示すように、再生不可能なレベルとしての「ロックリミテーション“ＰＧ１３、Ｒ、ＵＮＬＩＭＩＴＥＤ“」と表示されている状態で、上下キー（▽キー）５ｍを入力する。すると、システムＣＰＵ部５０は、設定された再生不可能なレベル（ＰＧ１３）をシステム用ＲＯＭ＆ＲＡＭ部５２のＲＡＭに記憶し、さらにモニタ部６で、図２９の（ｅ）に示すように、「レーティング  ＰＧ１３」が表示され、ハイライト表示される項目が「メインメニュー」に変更される。
【０１３２】
また、上記セットアップ時に、暗証番号入力モードに設定した際、暗証番号既設定状態の場合、システムＣＰＵ部５０は、モニタ部６で、図３０の（ｆ）に示すように、レーティングコードの暗証番号部分で「＊＊＊＊」を表示するとともに、１桁目を点滅表示する。
【０１３３】
この表示に応じて、テンキー５ｂにより特定番号としての「００００」が入力され（図３０の（ｇ）参照）、セットキー５ｌが入力された際、システムＣＰＵ部５０は、特定番号の入力を判断し、暗証番号の再設定と判断し、システム用ＲＯＭ＆ＲＡＭ部５２のＲＡＭに記憶されている暗証番号をクリアするとともに、レベル設定値を初期値の“ＵＮＬＩＭＩＴＥＤ“とし、上記暗証番号を設定する図２９の（ａ）の表示状態に進む。
【０１３４】
また、上記暗証番号入力モードの表示に応じて、テンキー５ｂにより４桁の暗証番号が入力され（図３０の（ｈ）参照）、セットキー５ｌが入力された際、システムＣＰＵ部５０は、入力された暗証番号がシステム用ＲＯＭ＆ＲＡＭ部５２のＲＡＭに記憶されている暗証番号と一致するか否かを判断し、暗証番号が一致した場合、上記レーティングレベルを設定する図２９の（ｃ）の表示状態に進み、暗証番号が不一致の場合、モニタ部６で、図３０の（ｉ）に示すように、「レーティングのコード不一致」が表示され、２秒後に、図３０の（ｆ）の暗証番号の入力画面に戻る。
【０１３５】
なお、上記図２９の（ａ）〜（ｅ）、図３０の（ｆ）〜（ｉ）に示すモニタ部６のセットアップ画面の表示は、映像が再生されていない際のもので、映像が再生されている際には、再生画面上に表示されるようになっている。
【０１３６】
次に、上記モニタ部６のセットアップ画面の「メインメニュー」の項目がハイライト表示されている状態で（図２９の（ｅ）参照）、セットキー５ｌが入力されると、システムＣＰＵ部５０は、ディスク情報ファイル７６のファイル管理情報のディスク構成情報、メニュー構成情報及びセル情報を利用して、メニュー映像用データエリア８４のシーケンス（タイトル）選択メニューを再生し、モニタ部６の画面に表示する。
【０１３７】
ユーザは、再生するシーケンス（タイトル）の選択を、表示されたメニュー画面に記された選択番号を基に、キー操作部及び表示部４あるいはリモートコントロール５を用いて指定する。これにより選択したシーケンスの帰属するファイル番号及びシーケンス情報が特定される。このシーケンスの選定では、メニュー画面を基にすべてのシーケンスを選定する場合と、先頭シーケンスを選定してそのシーケンスの終了時点で映像セルに含まれるメニューセルから次のシーケンスを選定する場合がある。
【０１３８】
指定された映像用ファイル７８を取得し、映像用データ１０２を再生するまでの動作を次に説明する。指定されたシーケンス番号に対するシーケンス情報を取得するために、ボリューム管理情報７４から得た各映像用ファイル７８の記録位置及び記録容量を用いて、先ず、再生するシーケンスが帰属する映像用ファイル７８のファイル管理情報１０１を上記のディスク情報ファイル７６の時と同様に読み出し、データＲＡＭ部５６へ格納する。
【０１３９】
システムＣＰＵ部５０は、データＲＡＭ部５６に格納したファイル管理情報のファイル管理テーブル１１３からビデオ属性、オーディオストリーム属性、副映像チャネル属性を取得し、それらの属性に合わせた制御信号をビデオデコーダ部５８、オーディオデコーダ部６０、副映像デコーダ部６２、Ｄ／Ａ＆再生処理部６４に出力する。
【０１４０】
システムＣＰＵ部５０は、データＲＡＭ部５６に格納したファイル管理情報エリア１０１のシーケンス情報テーブル１１４から、指定されたシーケンス番号に対応するシーケンス情報を取得し、そのデータと、そのシーケンスを再生するために必要なセル情報テーブル１１５中のセル情報をシステムＲＯＭ＆ＲＡＭ部５２へ転送し、格納する。
【０１４１】
このように取得したシーケンス情報中のセル再生順序情報により、最初に再生するセル情報を取得し、このセル情報中の映像用データ再生開始アドレスとサイズをもとに、ディスクドライブ部３０に対し目的のアドレスからのリード命令が与えられる。ディスクドライブ部３０は、リード命令に従って光ディスク１０を駆動すると共に、光ディスク１０より目的のアドレスのデータを読み込んでシステムプロセッサ部５４に送る。システムプロセッサ部５４は、送られてきたデータをデータＲＡＭ部５６に一旦記憶し、上述したように、そのデータに付加されているヘッダ情報を基にデータの種別（主映像、オーディオ、副映像、ディスクサーチ情報等）を判別し、判別した種類に応じて主映像データ、オーディオデータ、副映像データをデコーダ部５８、６０、６２に転送し、ディスクサーチ情報をデータＲＡＭ部５６に転送する。
【０１４２】
この処理について、図３１に示すフローチャートを参照して説明する。
【０１４３】
すなわち、システムＣＰＵ部５０は、ディスクドライブ部３０にリードコマンドと再生するパックの論理セクタアドレスを転送する（Ｓ１）。
【０１４４】
すると、ディスクドライブ部３０は、目的アドレスをシークする（Ｓ２）。
【０１４５】
ついで、ディスクドライブ部３０は、目的アドレスのデータをエラー訂正し、論理セクタデータ内の主データ部分を、システムプロセッサ部５４に転送する  （Ｓ３）。
【０１４６】
システムプロセッサ部５４は、読出した論理セクタのデータをデータＲＡＭ部５６に保存する（Ｓ４）。
【０１４７】
システムプロセッサ部５４は、データＲＡＭ部５６内に保存されている論理セクタのデータの先頭よりパックヘッダを読出し、そのＳＣＲ（システム時刻基準参照値）を保存する（Ｓ５）。
【０１４８】
このとき、論理セクタの先頭とパックデータの先頭が一致しているため、データの取り出しが容易に行える。
【０１４９】
そして、システムプロセッサ部５４は、自身のＳＴＣと上記保存した各パックのＳＣＲとを比較し、ＳＴＣに達したＳＣＲに対応するパックつまり再生出力するパックを判断し、この判断したパックデータをデータＲＡＭ部５６から読出し、パケット転送処理部２００でデータの種別を判別し、この判別した種類に応じてデコーダ部５８、６０、６２あるいはデータＲＡＭ部５６に転送する（Ｓ６）。
【０１５０】
そして、各デコーダ部５８、６０、６２はそれぞれのデータフォーマットと上記設定されている符号化方式に従ってデータをデコードし、Ｄ／Ａ＆再生処理部６４に送る。Ｄ／Ａ＆再生処理部６４でビデオデータのデコード結果のディジタル信号をアナログ信号に変換した後、上記設定されている条件によりフレームレート処理、アスペクト処理、パンスキャン処理等を施して、モニタ部６に出力される。Ｄ／Ａ＆再生処理部６４でオーディオデータのデコード結果を上記設定されている条件によりディジタル信号をアナログ信号に変換した後、Ｄ／Ａ＆再生処理部６４で上記設定されている条件によりミキシング処理を施してスピーカ部８に出力される。Ｄ／Ａ＆再生処理部６４は、副映像データのデコード結果のディジタル信号をアナログ信号に変換した後、モニタ部６に出力される（Ｓ７）。
【０１５１】
再生が終了するまで、上記Ｓ３〜Ｓ７が繰り返される。
【０１５２】
次に、パケット転送処理部２００の処理を説明する。
【０１５３】
すなわち、データＲＡＭ部５６から読出されたパックデータがメモリＩ／Ｆ部２０１を介してスタッフィング長検知部２０２、パック種別判別部２０４、パケットデータ転送制御部２０５、およびデコーダＩ／Ｆ部２０６に供給される（Ｓ１１）。
【０１５４】
これにより、スタッフィング長検知部２０２によって、スタッフィング長が検知され、そのスタッフィング長を示すデータがパックヘッダ終了アドレス算出部２０３に出力される（Ｓ１２）。
【０１５５】
パックヘッダ終了アドレス算出部２０３は供給されるスタッフィング長により、パックヘッダ終了アドレスを算出し、このパックヘッダ終了アドレスがパック種別判別部２０４、パケットデータ転送制御部２０５に供給される（Ｓ１３）。
【０１５６】
パック種別判別部２０４は、供給されるパックヘッダ終了アドレスに従って、そのアドレスの次に供給される４バイトのデータの内容により、主映像パック、オーディオパック、副映像パック、ＤＳＩパックのいずれであるかを判別し、この判別結果がパケットデータ転送制御部２０５に供給される（Ｓ１４）。
【０１５７】
すなわち、４バイトのシステムヘッダスタートコードが供給された場合、ＤＳＩパックと判別し、３バイトのパケットスタートコードと１バイトの主映像ストリームを示すストリームＩＤにより主映像パックと判別し、３バイトのパケットスタートコードと１バイトのストリームＩＤによりオーディオパックと判別し、３バイトのパケットスタートコードと１バイトのストリームＩＤにより副映像パックと判別する。ただし、ストリームＩＤとしてプライベートストリームの場合、パケットヘッダに続くサブストリームＩＤによりオーディオパックか副映像パックかを判別している。
【０１５８】
そして、パケットデータ転送制御部２０５は、供給されるパック種別の判別結果とパックヘッダ終了アドレスとに応じて、転送先とパケットスタートアドレスを判断し、さらに供給されるパックデータのパケットヘッダ内のパケット長を判断する。これにより、パケットデータ転送制御部２０５は、転送コントロール信号としての転送先を示す信号をデコーダＩ／Ｆ部２０６に供給し、パケットスタートアドレスからパケット終了アドレスがメモリＩ／Ｆ部２０１に供給される  （Ｓ１５）。
【０１５９】
したがって、実質的に有効なパケットデータが、メモリＩ／Ｆ部２０１からデータバスを介して、デコーダＩ／Ｆ部２０６に供給され、その後、その種別に応じた転送先としての各デコーダ５８、６０、６２あるいはデータＲＡＭ部５６に転送される（Ｓ１６）。
【０１６０】
この際、上記パックデータが一定長のため、データＲＡＭ部５６での記憶状態がつまり開始アドレスが一定間隔なため、データＲＡＭ部５６内のパックデータの先頭が常に同じ間隔のアドレスに保存される事となり、パックデータの管理がアドレス管理せずに、パック番号だけの管理で良い。
【０１６１】
尚、データの種別の判別過程では、データが映像用データの再生位置等を示すディスクサーチ情報（ＤＳＩ）の場合には、このディスクサーチ情報はデコーダへは転送されず、この再生データは、データＲＡＭ部５６に格納される。この再生情報は、システムＣＰＵ部５０によって必要に応じて参照されて映像データを再生する際の監視に利用される。
【０１６２】
また、１つのセルの再生が終了すると、次に再生するセル情報がシーケンス情報中のセル再生順序情報から取得し、同様にして再生が続けられる。
【０１６３】
次に、光ディスク再生装置によって、パレンタル情報が記録された光ディスク１０のパレンタル制御対象部分を再生する場合の基本的な動作を図３２に示すフローチャートを参照して説明する。
【０１６４】
まず、ディスク情報ファイル内のディスク構成情報（ＤＳＩＮＦ）をデータＲＡＭ部５６に読込む（Ｓ２１）。読込まれたディスク構成情報ＤＳＩＮＦから光ディスク１０上に記録されたすべてのシーケンスについてのパレンタル情報を参照し、パレンタル制限対象となっているタイトルをモニタ部６に表示する（Ｓ２２）。特定のユーザ（暗証確認等により認定）により上記パレンタル対象タイトルの再生制限を有効にするか否かがキー操作部及び表示部４あるいはリモートコントロール５によりキー入力される（Ｓ２３）。ただし、特定のユーザによりパレンタルの解除が行えるのは、上記システム用ＲＯＭ及びＲＡＭ部５２に記録されている基準レベルよりも緩やかなレベルのものだけに制限される。ユーザがパレンタル制御を解除した場合、パレンタル解除情報がシステム用ＲＯＭ＆ＲＡＭ部５２に記憶される。ユーザがパレンタル制御を解除しなかった場合、シーケンスレベル、セルレベル、１ＧＯＰ相当レベルのうち、どのレベルでのパレンタル制御を希望するかがユーザによってキー操作部及び表示部４あるいはリモートコントロール５によりキー入力される（Ｓ２４、Ｓ２５）。
【０１６５】
ステップ２５で、シーケンスレベルでの再生制限が選択された場合、シーケンス情報情報テーブル（ＳＩＴ）１１４の各シーケンス情報（ＳＩ）がデータＲＡＭ部５６に読み込まれ、再生制限開始シーケンス番号と再生制限終了シーケンス番号が検出される（Ｓ２６）。次に、各シーケンスを順次読み込み（Ｓ２７）、それぞれのシーケンスが再生制限対象となっているかどうかが判断される（Ｓ２８）。すなわち、各シーケンスのパレンタルレベルにより再生制限対象であるか否かを判断する。再生制限対象であれば、そのシーケンスの再生を行わず（Ｓ２９）、パレンタル制御中であることを示す文字をモニタ部６に表示した後（Ｓ３０）、次のシーケンスを読み込む。次のシーケンスがパレンタル制御対象でない場合（Ｓ２８）、再生が再開される（Ｓ３１）。
【０１６６】
また、上記ステップ５で、セルレベルでの再生制限が選択された場合、セル情報テーブル（ＣＩＴ）がデータＲＡＭ部５６に読み込まれ、再生制限開始セル番号と再生制限終了セル番号が検出される（Ｓ３２）。次に、各セルを順次読み込み（Ｓ３３）、それぞれのセルが再生制限対象となっているかどうかが判断される（Ｓ３４）。すなわち、各セルのパレンタルレベルにより再生制限対象であるか否かを判断する。再生制限対象であれば、各デコーダ部５８、６０、６２に再生禁止信号が出されてデコード信号の出力が中止される。または、セルはあるタイトル中のあるシーンを示すため、そのシーンごと別のシーンと置換する。あるいは別途用意されたマルチアングル映像への切換えを行う（Ｓ３５）。その後、パレンタル制御中であることを示す文字がモニタ部６に表示される（Ｓ３６）。セルの再生制限期間が終了した場合（Ｓ３４）、再生禁止または映像置換が解除され（Ｓ３７）、再生が再開される（Ｓ３１）。
【０１６７】
また、上記ステップ５で、１ＧＯＰ相当レベルでの再生制限が選択された場合、パックデータが順次データＲＡＭ部５６に読み込まれ（Ｓ３８）、１ＧＯＰ相当分ごとに設けられたディスクサーチ情報（ＤＳＩ）から各ＧＯＰのパレンタル情報が読み取られる（Ｓ３９）。その結果から、対象となるＧＯＰを再生するか否かが判断される（Ｓ４０）。対象となるＧＯＰのパレンタルレベルにより再生制限対象であるか否かを判断する。再生制御対象であれば、各デコーダ部５８、６０、６２に再生禁止信号が出されてデコード信号の出力が中止され（Ｓ４１）、さらにパレンタル制御中であることを示す文字がモニタ部６に表示される（Ｓ４２）。
【０１６８】
なお、図中、ステップ２６から３０はシーケンスレベルでのパレンタルチェックルーチンであり、ステップ３２から３６はセルレベルでのパレンタルチェックルーチンであり、ステップ３８から４２は１ＧＯＰレベルでのパレンタルチェックルーチンであり、図に示すようにシーケンスレベルのパレンタルチェック後には、その下層であるセルレベルのバレンタルチェックが行われ、セルレベルのバレンタルチェックの後にはその下層である１ＧＯＰレベルのパレンタルチェックが実施される。
【０１６９】
これにより、衝撃、振動等により不意に再生飛びが起こりパレンタル制御対象のデータを読み込んでしまった場合でも、下層レベルでのパレンタルチェックルーチンが働き再生をくい止めることができる。
【０１７０】
次に、レーティングレベルの変更処理について、図３３に示すフローチャートを参照しつつ説明する。
【０１７１】
すなわち、上述したような映像等の再生中あるいは停止中に、レーティングレベルの変更が指示された際、システムＣＰＵ部５０により、モニタ部６で、図２９の（ａ）あるいは図３０の（ｆ）に示すセットアップ画面が表示される。
【０１７２】
この表示において、上下キー５ｍによりハイライト表示される項目を変更し、レーティングコードの部分がハイライト表示されるようにし、つまり暗証番号入力モードに設定する。この際、暗証番号未設定状態の場合、システムＣＰＵ部５０は、モニタ部６で、図２９の（ａ）に示すように、上記レーティングコードの暗証番号部分の下線を表示するとともに、１桁目を点滅表示する。
【０１７３】
この表示に応じて、テンキー５ｂにより４桁の暗証番号を入力する。この４桁の暗証番号の入力により、システムＣＰＵ部５０は、モニタ部６で、図２９の  （ｂ）に示すように、レーティングコードの暗証番号部分に入力された暗証番号たとえば「１２３４」が表示されるとともに、セットキーの入力が案内表示される。
【０１７４】
この案内に応じて、セットキー５ｌが入力されると、システムＣＰＵ部５０は、設定された暗証番号をシステム用ＲＯＭ＆ＲＡＭ部５２のＲＡＭに記憶し、さらにモニタ部６で、図２９の（ｃ）に示すように、「ロックリミテーション  “ＵＮＬＩＭＩＴＥＤ“」が表示される。この際、再生不可能なレベルとしてのロックリミテーション（レーティングレベル）の初期値として“ＵＮＬＩＭＩＴＥＤ“が表示される。
【０１７５】
この後、早送り／後戻りキー５ｈの入力により、再生不可能なレベルとしてのレーティングレベルを変更し、上下キー（▽キー）５ｍの入力により、システムＣＰＵ部５０は、設定された再生不可能なレベル（ＰＧ１３）をシステム用ＲＯＭ＆ＲＡＭ部５２のＲＡＭに記憶する。
【０１７６】
この際、システムＣＰＵ部５０は、映像等を再生中であった場合、再生中のシーケンス（あるいはセル単位、ＧＯＰ単位）のパレンタル制御のレベルが変更されたレーティングレベルより低いか否かを確認し、低い場合はそのまま再生を行い、高い場合は再生を停止する。
【０１７７】
また、入力された暗証番号が特定番号の「００００」であった場合、再び暗証設定に進み、入力された暗証番号があらかじめ設定されている暗証番号と一致した場合、上記レーティングレベルの変更に進み、入力された暗証番号があらかじめ設定されている暗証番号と一致した場合、暗証番号のエラーメッセージをモニタ部６で案内する。
【０１７８】
また、暗証番号入力モードに設定された際に、暗証番号既設定状態の場合、システムＣＰＵ部５０は、モニタ部６で、図３０の（ｆ）に示すように、上記レーティングコードの暗証番号部分に「＊＊＊＊」を表示するとともに、１桁目を点滅表示する。
【０１７９】
この表示に応じて、テンキー５ｂにより特定番号としての「００００」が入力され（図３０の（ｇ）参照）、セットキー５ｌが入力された際、システムＣＰＵ部５０は、特定番号の入力を判断し、暗証番号の再設定と判断し、システム用ＲＯＭ＆ＲＡＭ部５２のＲＡＭに記憶されている暗証番号をクリアするとともに、レベル設定値を初期値の“ＵＮＬＩＭＩＴＥＤ“とし、上記暗証番号を設定する図２９の（ａ）の表示状態に進む。
【０１８０】
また、上記暗証番号入力モードの表示に応じて、テンキー５ｂにより４桁の暗証番号が入力され（図３０の（ｈ）参照）、セットキー５ｌが入力された際、システムＣＰＵ部５０は、入力された暗証番号がシステム用ＲＯＭ＆ＲＡＭ部５２のＲＡＭに記憶されている暗証番号と一致するか否かを判断し、暗証番号が一致した場合、上記レーティングレベルを変更する図２９の（ｃ）の表示状態に進み、暗証番号が不一致の場合、モニタ部６で、図３０の（ｉ）に示すように、「レーティングのコード不一致」が表示され、２秒後に、図３０の（ｆ）の暗証番号の入力画面に戻る。
【０１８１】
上記したように、光ディスクに再生を制限しなければならない映像等に対し付与されているパレンタル制御のレベルと、再生する側で設定されているレーティングレベルとを比較することにより、映像の再生を制限し、そのレーティングレベルを暗証照合により変更するようにしたものである。
【０１８２】
これにより、光ディスクから映像等のデータを再生する際に、そのデータに付与されているパレンタル制御のレベルと、再生側で設定されるレーティングレベルとにより再生を制限させることができ、しかもそのレーティングレベルを暗証照合により変更することができる。
【０１８３】
また、暗証番号が特定番号の際に、暗証番号を再設定できるとともに、レーティングレベルを変更することができ、暗証番号を使用者が忘れてしまった場合の対策もできる。
【０１８４】
次に、図３４から図４３を参照して図９から図１９に示す論理フォーマットで映像データ及びこの映像データを再生するための光ディスク１０への記録方法及びその記録方法が適用される記録システムについて説明する。
【０１８５】
図３４は、映像データをエンコーダして映像ファイルを生成するエンコーダシステムが示されている。図３４に示されるシステムにおいては、主映像データ、オーディオデータ及び副映像データのソースとして、例えば、ビデオテープレコーダ（ＶＴＲ）２１１、オーディオテープレコーダ（ＡＴＲ）２１２及び副映像再生器（Subpicture source ）２１３が採用される。これらは、システムコントローラ（Sys con ）２１５の制御下で主映像データ、オーディオデータ及び副映像データを発生し、これらが夫々ビデオエンコーダ（ＶＥＮＣ）２１６、オーディオエンコーダ（ＡＥＮＣ）２１７及び副映像エンコーダ（ＳＰＥＮＣ）２１８に供給され、同様にシステムコントローラ（Sys con ）２１５の制御下でこれらエンコーダ２１６、２１７、２１８でＡ／Ｄ変換されると共に夫々の圧縮方式でエンコードされ、エンコードされた主映像データ、オーディオデータ及び副映像データ（Comp Video, Comp Audio, Comp Sub-pict ）としてメモリ２２０、２２１、２２２に格納される。この主映像データ、オーディオデータ及び副映像データ（Comp Video, Comp Audio, Comp Sub-pict ）は、システムコントローラ（Sys con ）２１５によってファイルフォーマッタ(FFMT)２２４に出力され、既に説明したようなこのシステムの映像データのファイル構造に変換されるとともに各データの設定条件及び属性等の情報がファイルとしてシステムコントローラ（Sys con ）２１５によってメモリ２２６に格納される。
【０１８６】
以下に、映像データからファイルを作成するためのシステムコントローラ（Sys con ）２１５におけるエンコード処理の標準的なフローチャートを説明する。
【０１８７】
図３５に示されるフローチャートに従って主映像データ及びオーディオデータがエンコードされてエンコード主映像及びオーディオデータ（Comp Video, Comp Audio) のデータが作成される。即ち、エンコード処理が開始されると、図３５のステップ７０に示すように主映像データ及びオーディオデータのエンコードにあたって必要なパラメータが設定される。この設定されたパラメータの一部は、システムコントローラ（Sys con ）２１５に保存されるとともにファイルフォーマッタ(FFMT)２２４で利用される。ステップＳ７１で示すようにパラメータを利用して主映像データがプリエンコードされ、最適な符号量の分配が計算される。ステップＳ７２に示されるようにプリエンコードで得られた符号量分配に基づき、主映像のエンコードが実行される。このとき、オーディオデータのエンコードも同時に実行される。ステップＳ７３に示すように必要であれば、主映像データの部分的な再エンコードが実行され、再エンコードした部分の主映像データが置き換えられる。この一連のステップによって主映像データ及びオーディオデータがエンコードされる。また、ステップＳ７４及びＳ７５に示すように副映像データがエンコードされエンコード副映像データ(Comp Sub-pict) が作成される。即ち、副映像データをエンコードするにあたって必要なパラメータが同様に設定される。ステップＳ７４に示すように設定されたパラメータの一部がシステムコントローラ（Sys con ）２１５に保存され、ファイルフォーマッタ(FFMT)２２４で利用される。このパラメータに基づいて副映像データがエンコードされる。この処理により副映像データがエンコードされる。
【０１８８】
図３６に示すフローチャートに従って、エンコードされた主映像データ、オーディオデータ及び副映像データ（Comp Video, Comp Audio, Comp Sub-pict ）が組み合わされて図１５を参照して説明したような映像データのファイル構造に変換される。即ち、ステップＳ７６に示すように映像データの最小単位としてのセル１０５が設定され、セル情報テーブル（ＣＩＴ）１１５が作成される。次に、ステップＳ７７に示すようにシーケンス１０６を構成するセル１０５の構成、主映像、副映像及びオーディオ属性、パレンタルのレベル等が設定され（これらの属性情報の一部は、各データエンコード時に得られた情報が利用される。）、セル情報テーブル（ＣＩＴ）１１５を含めたファイル管理情報（ＦＭＩ）が作成される。次に、ステップ７８に示すようにエンコードされた主映像データ、オーディオデータ及び副映像データ（Comp Video, Comp Audio, Comp Sub-pict)が一定のパックに細分化され、各データのタイムコード順に再生可能なように、１ＧＯＰ単位毎にぱレンタルレベルが設定されるＤＳＩパック９２を挿入しながら各データセルが配置されて図１０及び図１５に示すようなディスク情報ファイル７６及びムービファイル等のファイル７８の構造にフォーマットされる。この際、論理セクタ長に合わせたパック化が行われる。
【０１８９】
尚、図３６に示したフローチャートにおいて、シーケンス情報は、ステップＳ７７の過程で、システムコントローラ（Sys con ）２１５のデータベースを利用したり、或いは、必要に応じてデータ（パレンタルレベル等）を再入力する等を実行し、シーケンス情報テーブル（ＳＩＴ）１１４に記述される。
【０１９０】
図３７は、上述のようにフォーマットされたファイル７６、７８を光ディスクへ記録するためのディスクフォーマッタのシステムを示している。図２９に示すようにディスクフォーマッタシステムでは、作成された情報ファイル７６及びムービファイル等のファイル７８が格納されたメモリ２３０、２３２からこれらファイルデータがボリュームフォーマッタ（ＶＦＭＴ）２３６に供給される。ボリュームフォーマッタ（ＶＦＭＴ）２３６では、ファイル７６、７８に加えて更にディスクのボリューム情報７４が図９に示す配列順序で加えられてディスク１０に記録されるべき状態の論理データが作成される。ボリュームフォーマッタ（ＶＦＭＴ）２３６で作成された論理データにエラー訂正用のデータがディスクフォーマッタ（ＤＦＭＴ）２３８において付加され、ディスクへ記録する物理データに再変換される。変調器（Modulater ）２４０において、ディスクフォーマッタ（ＤＦＭＴ）２３８で作成された物理データが実際に光ディスク１０へ記録する記録データに変換され、この変調処理された記録データが記録器(Recoder) ２４２によってディスク１０に記録される。
【０１９１】
上述したディスクを作成するための標準的なフローチャートを図３８及び図３９を参照して説明する。図３８には、光ディスク１０に記録するための論理データが作成されるフローチャートが示されている。即ち、ステップＳ８０で示すように映像データファイルの数、並べ順、各映像データファイル大きさ等のパラメータデータが始めに設定される。次に、ステップＳ８１で示すように設定されたパラメータと各映像データファイルのファイル管理情報からボリューム情報が作成される。その後、ステップＳ８２に示すようにボリューム情報、映像データファイルの順にデータが該当する論理ブロック番号に沿って配置され、光ディスク１０に記録するための論理データが作成される。
【０１９２】
その後、図３９に示すような光ディスク１０へ記録するための物理データを作成するフローチャートが実行される。即ち、ステップＳ８３で示すように論理データが一定バイト数に分割され、エラー訂正用のデータが生成される。次にステップＳ８４で示すように一定バイト数に分割した論理データと、生成されたエラー訂正用のデータが合わされて物理セクタが作成される。その後、ステップＳ８５で示すように物理セクタを合わせて物理データが作成される。
【０１９３】
このように図３９に示されたフローチャートで生成された物理データに対し、一定規則に基づいた変調処理が実行されて記録データが作成される。その後、この記録データがディスク１０に記録される。
【０１９４】
図３６を参照して説明したエンコードされた主映像データ、オーディオデータ及び副映像データ（Comp Video, Comp Audio, Comp Sub-pict ）が組み合わされて映像データのファイル構造に変換されるフローチャートにおいて、１つ以上のシーケンスを作成する過程で、シーケンス情報とセル再生順序を作成する過程についてより詳細に図４０から図４３を参照して説明する。図４０及び図４２には、映像セル１０５に関するセル情報（ＣＩ）とシーケンス１０６に関するシーケンス情報（ＳＩ）との関係が示されている。尚、図４０及び図４１は、両者を該当箇所で接合して１枚の図面となるように描かれている。また、図４３は、図４０及び図４１で示されるシーケンス情報とセル再生順序でシーケンスを作成する過程を示したフローチャートである。
【０１９５】
図４０及び図４１において、シーケンス（Ｓｅｑ−ｎ）を作成する場合について考える。パソコンやワークステーション等を利用して、ハードディスク上やメモリ上に、図４３のステップＳ９０で示されるように映像データを目的に応じて必要な大きさの単位に分割した映像セルが複数個用意される。ステップＳ９２で示されるようにこの用意された各映像セルのサイズ（Ｓｎａ）、再生時間（Ｔｎａ）、内容等を示す種別（Ｃｎａ）及び対応する言語コード（Ｌｎａ）、パレンタルのレベル等の情報がセル情報（Ｃｌ）とし取得される。ステップＳ９３に示すように各セル情報（ＣＩ）が記述順にテーブルとしてまとめられ、セル情報テーブル（ＣＩＴ）が作成される。このように作成されるセル情報テーブル（ＣＩＴ）から、ステップＳ９４に示すようにシーケンス（Ｓｅｑ−ｎを）構成するセル番号（＃ｎ，＃ｎ＋１，＃ｎ＋２）が取り出され、そのシーケンスを構成するシーケンス構成セル数が決定される。また、構成セルの合計時間（Ｔｎａ＋Ｔｎｂ＋Ｔｎｃ）より、シーケンス再生時間が求められる。ステップＳ９５に示すようにシーケンス構成セル数からシーケンスの再生順序を決定するセル再生順序リストへ再生順に＃１からセル情報テーブル（ＣＩ）記述順のセル番号が格納され、図４２（Ａ）から（Ｄ）に示すようにセル再生順序リストが作成される。上述したシーケンス構成セル数、シーケンス再生時間、セル再生順序リスト等の情報をまとめてシーケンス情報（ＳＩ）＃ｎが構成される。次に、ステップＳ９６に示すように同様にして次のシーケンスが作成される。
【０１９６】
作成するシーケンスが無くなると、ステップＳ９７に示すように全部のシーケンス情報（ＳＩ）が記述順に＃１から番号を割り当てられ、シーケンス情報テーブル（ＳＩＴ）に格納され、シーケンスの作成が終了される。
【０１９７】
最後に、シーケンスの総数、シーケンス情報テーブルの開始位置、各シーケンス情報の開始位置、セル情報テーブルの開始位置等をファイル管理テーブルの所定の場所へ格納して、ファイルが構成される。
【０１９８】
上述した実施例においては、記録媒体として高密度記録タイプの光ディスクについて説明したが、この発明は、光ディスク以外の他の記憶媒体、例えば、磁気ディスク或いはその他の物理的に高密記録可能な記憶媒体等にも適用することができる。
【０１９９】
【発明の効果】
以上詳述したようにこの発明によれば、記録媒体に記録されているデータを再生する際に、そのデータに付与されているパレンタル制御のレベルと、再生側で設定される制限レベルにより再生を制限させることができ、しかもその制限レベルを暗証照合により変更できる再生装置とその再生方法を提供できる。
【図面の簡単な説明】
【図１】この発明の一実施例を説明するための光ディスク再生装置の概略構成を示すブロック図。
【図２】ディスクドライブ部の構成を説明するための図。
【図３】光ディスクの構成を説明するための斜視図。
【図４】光ディスクの記録構成を説明するための図。
【図５】パレンタル制御のレベルとレーティングレベルとの関係を説明するための図。
【図６】設定されるレーティングレベルと視聴できるシーケンスのパレンタル制御レベルとの関係を説明するための図。
【図７】キー操作部及び表示部の構成を説明するための図。
【図８】リモートコントロールの構成を説明するための図。
【図９】光ディスクのボリューム構造を説明するための図。
【図１０】ディスク情報ファイルの構成を説明するための図。
【図１１】ディスク構成情報のパラメータを説明するための図。
【図１２】メニュー構成情報のパラメータを説明するための図。
【図１３】メニューセル情報のパラメータを説明するための図。
【図１４】ディスク構成情報の具体例を説明するための図。
【図１５】映像ファイルの構成を説明するための図。
【図１６】ファイルに記憶される画像データの階層構造を説明するための図。
【図１７】図１６に示された映像セルを構成する１ＧＯＰを示す説明図である。
【図１８】セル情報テーブルに格納されるセル情報の内容を説明するための図。
【図１９】シーケンス情報テーブルに格納される１つのシーケンス情報の内容を説明するための図。
【図２０】ファイル管理テーブルに記録されているパラメータを説明するための図。
【図２１】映像ファイルの構成を説明するための図。
【図２２】ディスクサーチ情報パックの構成を説明するための図。
【図２３】主映像パックの構成を説明するための図。
【図２４】オーディオパックの構成を説明するための図。
【図２５】副映像パックの構成を説明するための図。
【図２６】ディスクサーチ情報の構成例を示す図。
【図２７】ディスクサーチ情報内の一般情報のパラメータを説明するための図。
【図２８】パケット転送処理部の構成を説明するためのブロック図。
【図２９】暗証番号設定時とレーティングレベル設定（変更）時のモニタ部の表示例を示す図。
【図３０】暗証番号入力時と暗証番号不一致時のモニタ部の表示例を示す図。
【図３１】パケット転送処理を説明するためのフローチャート。
【図３２】パレンタル制御処理を説明するためのフローチャート。
【図３３】パレンタル制御処理の要部の具体例を説明するためのフローチャート。
【図３４】映像データをエンコーダして映像ファイルを生成するエンコーダシステムを示すブロック図。
【図３５】図３４に示されるエンコード処理を示すフローチャート。
【図３６】図３５に示すフローでエンコードされた主映像データ、オーディオデータ及び副映像データを組み合わせて映像データのファイルを作成するフローチャート。
【図３７】フォーマットされた映像ファイルを光ディスクへ記録するためのディスクフォーマッタのシステムを示すブロック図。
【図３８】図３７に示されるディスクフォーマッタにおけるディスクに記録するための論理データを作成するフローチャート。
【図３９】論理データからディスクへ記録するための物理データを作成するフローチャート。
【図４０】セル情報とシーケンス情報との関係を示す説明図。
【図４１】同様にセル情報とシーケンス情報との関係を示す説明図。
【図４２】同様にセル情報とシーケンス情報との関係を示す説明図。
【図４３】セル情報とシーケンス情報とを作成する過程を説明するフローチャート。
【符号の説明】
４…キー操作部及び表示部
５…リモートコントロール
５ｂ…テンキー
５ｈ…早送り／後戻りキー
５ｋ…クリアキー
５ｌ…セットキー
５ｍ…上下キー
６…モニタ部
８…スピーカ部
１０…光ディスク
３０…ディスクドライブ部
５０…システムＣＰＵ部
５２…システム用ＲＯＭ及びＲＡＭ
５４…システムプロセッサ部
５６…データＲＡＭ部
５８…オーディオデコーダ部
６０…副映像デコーダ部
６２…副映像デコーダ部
６４…Ｄ／Ａ＆再生処理部
２００…パケット転送処理部
【図１】
0003708587.tif 000002
【図２】
0003708587.tif 000003
【図３】
0003708587.tif 000004
【図４】
0003708587.tif 000005
【図５】
0003708587.tif 000006
【図６】
0003708587.tif 000007
【図７】
0003708587.tif 000008
【図８】
0003708587.tif 000009
【図９】
0003708587.tif 000010
【図１０】
0003708587.tif 000011
【図１１】
0003708587.tif 000012
【図１２】
0003708587.tif 000013
【図１３】
0003708587.tif 000014
【図１４】
0003708587.tif 000015
【図１５】
0003708587.tif 000016
【図１６】
0003708587.tif 000017
【図１７】
0003708587.tif 000018
【図１８】
0003708587.tif 000019
【図１９】
0003708587.tif 000020
【図２０】
0003708587.tif 000021
【図２１】
0003708587.tif 000022
【図２２】
0003708587.tif 000023
【図２３】
0003708587.tif 000024
【図２４】
0003708587.tif 000025
【図２５】
0003708587.tif 000026
【図２６】
0003708587.tif 000027
【図２７】
0003708587.tif 000028
【図２８】
0003708587.tif 000029
【図２９】
0003708587.tif 000030
【図３０】
0003708587.tif 000031
【図３１】
0003708587.tif 000032
【図３２】
0003708587.tif 000033
【図３３】
0003708587.tif 000034
【図３４】
0003708587.tif 000035
【図３５】
0003708587.tif 000036
【図３６】
0003708587.tif 000037
【図３７】
0003708587.tif 000038
【図３８】
0003708587.tif 000039
【図３９】
0003708587.tif 000040
【図４０】
0003708587.tif 000041
【図４１】
0003708587.tif 000042
【図４２】
0003708587.tif 000043
【図４３】
0003708587.tif 000044